(57)【特許請求の範囲】
【請求項１】
ワイヤレス通信のための方法であって、
ユーザ機器（ＵＥ）に無認可スペクトルを介して、データフレームに対応するシーケンス番号と、前記データフレームの１つまたは複数のデータサブフレームとを送信することと、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信することと、ここにおいて、前記ＨＡＲＱフィードバックは、肯定応答（ＡＣＫ）または否定応答（ＮＡＣＫ）を介して前記１つまたは複数のデータサブフレームの各々が前記ＵＥによって受信され、復号されたかどうかを示す、
前記１つまたは複数のデータサブフレームについてのＨＡＲＱフィードバックが前記ＵＥによって送信されないと決定することに応答して、前記ＵＥが順序が乱れて前記データフレームを受信したと決定することと、
を備える、方法。
【請求項２】
前記ＵＥに前記無認可スペクトルを介して、後続のデータフレームに対応するシーケンス番号と、前記後続のデータフレームの１つまたは複数のデータサブフレームとを送信することと、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信することと
をさらに備える、請求項１に記載の方法。
【請求項３】
前記ＵＥから前記無認可スペクトルを介して、前記１つまたは複数のデータサブフレームについてのＨＡＲＱフィードバックを受信することが、
前記１つまたは複数のデータサブフレームの各々について別個のＨＡＲＱフィードバックメッセージを受信することを備える、請求項１に記載の方法。
【請求項４】
前記ＵＥから前記無認可スペクトルを介して、前記１つまたは複数のデータサブフレームについてのＨＡＲＱフィードバックを受信することが、
前記データフレーム中に、前記１つまたは複数のデータサブフレームのサブセットについてのＨＡＲＱフィードバックを受信することと、
次のデータフレーム中に、前記１つまたは複数のデータサブフレームの残りのサブセットについてのＨＡＲＱフィードバックを受信することと
を備える、請求項１に記載の方法。
【請求項５】
前記ＵＥから前記無認可スペクトルを介して、前記１つまたは複数のデータサブフレームについてのＨＡＲＱフィードバックを受信することが、
１つまたは複数の対応するアップリンクサブフレームの各々中に、前記１つまたは複数のデータサブフレームの各々についてのＨＡＲＱフィードバックを受信すること、ここにおいて、各対応するアップリンクサブフレームが、前記データフレーム中に、または次のデータフレーム中に発生する、
を備える、請求項１に記載の方法。
【請求項６】
前記無認可スペクトルの利用可能性を決定するためにクリアチャネルアセスメント（ＣＣＡ）を実行することと、
前記無認可スペクトルが利用可能であるという決定が行われると、前記データフレーム中に前記無認可スペクトルにアクセスすることと
をさらに備える、請求項１に記載の方法。
【請求項７】
無認可スペクトルを介したチャネルアクセスを要求するために送信要求（ＲＴＳ）信号を送信することと、
前記無認可スペクトルが利用可能であるとき、前記ＲＴＳ信号に応答して、送信可（ＣＴＳ）信号を受信することと
をさらに備える、請求項１に記載の方法。
【請求項８】
前記無認可スペクトルが送信のために利用可能であるとき、送信可（ＣＴＳ）信号を送信すること
をさらに備える、請求項１に記載の方法。
【請求項９】
ワイヤレス通信のための装置であって、
ユーザ機器（ＵＥ）に無認可スペクトルを介して、データフレームに対応するシーケンス番号と、前記データフレームの１つまたは複数のデータサブフレームとを送信するための手段と、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信するための手段と、ここにおいて、前記ＨＡＲＱフィードバックは、肯定応答（ＡＣＫ）または否定応答（ＮＡＣＫ）を介して前記１つまたは複数のデータサブフレームの各々が前記ＵＥによって受信され、復号されたかどうかを示す、
前記１つまたは複数のデータサブフレームについてのＨＡＲＱフィードバックが前記ＵＥによって送信されないと決定することに応答して、前記ＵＥが順序が乱れて前記データフレームを受信したと決定するための手段と、
を備える、装置。
【請求項１０】
ワイヤレス通信のための方法であって、
ユーザ機器（ＵＥ）に無認可スペクトルを介して、データフレームに対応するシーケンス番号と、ハイブリッド自動再送要求（ＨＡＲＱ）フィードバックとを送信することと、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信することと、ここにおいて、前記ＨＡＲＱフィードバックが、１つまたは複数のＨＡＲＱフィードバックメッセージを備え、前記ＵＥから前記無認可スペクトルを介して、１つまたは複数のデータサブフレームを受信することが、前記１つまたは複数のＨＡＲＱフィードバックメッセージの各々について別個のデータサブフレームを受信することを備える、
前記１つまたは複数のデータサブフレームが前記ＵＥによって送信されないと決定することに応答して、前記ＵＥが順序が乱れて前記データフレームを受信したと決定することと、
を備える、方法。
【請求項１１】
前記ＵＥに前記無認可スペクトルを介して、後続のデータフレームに対応するシーケンス番号と、後続のＨＡＲＱフィードバックとを送信することと、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信することと
をさらに備える、請求項１０に記載の方法。
【請求項１２】
前記ＵＥから前記無認可スペクトルを介して、１つまたは複数のデータサブフレームを受信することが、
１つまたは複数の対応するアップリンクサブフレームの各々中に、前記１つまたは複数のデータサブフレームの各々を受信すること、ここにおいて、各対応するアップリンクサブフレームが、前記データフレーム中に発生する、
を備える、請求項１０に記載の方法。
【請求項１３】
ワイヤレス通信のための装置であって、
ユーザ機器（ＵＥ）に無認可スペクトルを介して、データフレームに対応するシーケンス番号と、ハイブリッド自動再送要求（ＨＡＲＱ）フィードバックとを送信するための手段と、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信するための手段と、ここにおいて、前記ＨＡＲＱフィードバックが、１つまたは複数のＨＡＲＱフィードバックメッセージを備え、前記ＵＥから前記無認可スペクトルを介して、１つまたは複数のデータサブフレームを受信することが、前記１つまたは複数のＨＡＲＱフィードバックメッセージの各々について別個のデータサブフレームを受信することを備える、
前記１つまたは複数のデータサブフレームが前記ＵＥによって送信されないと決定することに応答して、前記ＵＥが順序が乱れて前記データフレームを受信したと決定するための手段と、
を備える、装置。
【請求項１４】
請求項１乃至８または１０乃至１２のうちの１つの前記方法の全てのステップを実施するようにコンピュータ実行可能なプログラム命令を備える、コンピュータプログラム。
【発明の詳細な説明】
【技術分野】
【０００１】
相互参照
[0001]本特許出願は、各々が本出願の譲受人に譲渡された、２０１４年８月１１日に出願された、「ＨＡＲＱ  ＤＥＳＩＧＮ  ＦＯＲ  ＬＴＥ  ＩＮ  ＵＮＬＩＣＥＮＳＥＤ  ＳＰＥＣＴＲＵＭ  ＵＴＩＬＩＺＩＮＧ  ＩＮＤＩＶＩＤＵＡＬ  ＡＣＫ/ＮＡＣＫ」と題する、Ｄａｍｎｊａｎｏｖｉｃらによる米国特許出願第１４／４５６，８６６号、および２０１３年８月１３日に出願された、「ＨＡＲＱ  ＤＥＳＩＧＮ  ＦＯＲ  ＬＴＥ  ＩＮ  ＵＮＬＩＣＥＮＳＥＤ  ＳＰＥＣＴＲＵＭ  ＵＴＩＬＩＺＩＮＧ  ＩＮＤＩＶＩＤＵＡＬ  ＡＣＫ/ＮＡＣＫ」と題する、Ｄａｍｎｊａｎｏｖｉｃらによる米国仮特許出願第６１／８６５，５０７号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。
【０００３】
[0003]ワイヤレス通信ネットワークは、いくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、ＷｉＦｉ（登録商標）ノードなど、いくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００４】
[0004]セルラーネットワークが混雑し始めるにつれて、事業者は、容量を増加する方法に注目し始めた。１つの手法には、セルラーネットワークのトラフィックおよび／またはシグナリングの一部をオフロードするためのＷＬＡＮの使用があり得る。認可スペクトル（a licensed spectrum）で動作するセルラーネットワークとは異なり、ＷｉＦｉネットワークは、概して、無認可スペクトル（an unlicensed spectrum）で動作するので、ＷＬＡＮ（またはＷｉＦｉネットワーク）は魅力的である。ただし、セルラーデバイスとＷｉＦｉデバイスの両方による無認可スペクトルの使用には、無認可スペクトルへのアクセスを獲得するために競合ベースプロトコル（a contention-based protocol）の使用が必要になり得る。したがって、複数のデータフレームを介して無認可スペクトルを介して通信しようとするデバイスは、データフレーム間の送信ギャップ（たとえば、無認可スペクトルをキャプチャし、複数の隣接データフレーム中に、デバイスが無認可スペクトルを介して通信するのを妨げる他のデバイスによって生じる、ギャップ）を考慮しなければならないことがある。
【発明の概要】
【０００５】
[0005]説明する特徴は、一般に、ワイヤレス通信のための１つまたは複数の改善された方法、システム、および／または装置に関する。より詳細には、説明する特徴は、複数のデータフレームを介して無認可スペクトルを介して通信しようとするデバイスがデータフレーム間の送信ギャップを考慮しなければならないことがあるワイヤレス通信システムにおける、データサブフレームおよび／またはハイブリッド自動再送要求（ＨＡＲＱ：hybrid automatic repeat request）フィードバックを含むデータフレームの送信に関する。
【０００６】
[0006]例示的な例の第１のセットでは、ワイヤレス通信のための方法を与える。ワイヤレス通信のための方法は、ＵＥに無認可スペクトルを介して、データフレームに対応するシーケンス番号と、データフレームの１つまたは複数のデータサブフレームとを送信することを備え得る。本方法は、データフレームに対応するシーケンス番号が、指定された順序でＵＥによって受信されると、ＵＥから無認可スペクトルを介して、１つまたは複数のデータサブフレームについてのハイブリッド自動再送要求（ＨＡＲＱ）フィードバックを受信することを含む。
【０００７】
[0007]いくつかの例では、データフレームに対応するシーケンス番号が、順序が乱れて（out of order）ＵＥによって受信されると、ＨＡＲＱフィードバックが１つまたは複数のデータサブフレームについてＵＥによって送信されないことがある。本方法は、ＵＥに無認可スペクトルを介して、後続のデータフレームに対応するシーケンス番号と、後続のデータフレームの１つまたは複数のデータサブフレームとを送信することと、後続のデータフレームのためのシーケンス番号が、指定された順序でＵＥによって受信されると、ＵＥから無認可スペクトルを介して、後続のデータフレームの１つまたは複数のデータサブフレームについてのＨＡＲＱフィードバックを受信することとをさらに含み得る。
【０００８】
[0008]他の例では、本方法は、１つまたは複数のデータサブフレームの各々について別個のＨＡＲＱフィードバックメッセージを受信することを備え得る。１つまたは複数のデータサブフレームについて無認可スペクトルを介してＨＡＲＱフィードバックメッセージを受信することは、データフレーム中に（during the data frame）、１つまたは複数のデータサブフレームのサブセットについてのＨＡＲＱフィードバックを受信することと、次のサブフレーム中に（during a next subframe）、１つまたは複数のデータサブフレームの残りのサブセットについてのＨＡＲＱフィードバックを受信することとを備え得る。また別の例では、ＵＥから無認可スペクトルを介してＨＡＲＱフィードバックを受信することは、各１つまたは複数の対応するアップリンクサブフレーム中に、１つまたは複数のデータサブフレームの各々についてのＨＡＲＱフィードバックを受信することを備え得る。各対応するアップリンクサブフレームは、データフレーム中に、または次のデータフレーム中に発生し得る。本方法は、無認可スペクトルの利用可能性を決定するためにクリアチャネルアセスメント（ＣＣＡ：clear channel assessment）を実行することと、無認可スペクトルが利用可能であるという決定が行われると、データフレーム中に、無認可スペクトルにアクセスすることとをさらに含み得る。いくつかの例では、本方法は、無認可スペクトルを介したチャネルアクセスを要求および予約するために送信要求（ＲＴＳ：a request to send）信号を送信することを備え得る。そのような事例では、無認可スペクトルが送信のために利用可能であるとき、送信可（ＣＴＳ：a clear to send）信号が受信され得る。追加または代替として、本方法は、無認可スペクトルが利用可能であるとき、ＣＴＳ信号を送信することを備え得る。
【０００９】
[0009]例示的な例の第２のセットでは、ワイヤレス通信のための装置を与える。本装置は、ＵＥに無認可スペクトルを介して、データフレームに対応するシーケンス番号と、データフレームの１つまたは複数のデータサブフレームとを送信するための手段を含み得る。本装置は、データフレームに対応するシーケンス番号が、指定された順序でＵＥによって受信されると、ＵＥから無認可スペクトルを介して、１つまたは複数のデータサブフレームについてのＨＡＲＱフィードバックを受信するための手段をさらに備え得る。いくつかの例では、本装置は、例示的な例の第１のセットに関して上記で説明したワイヤレス通信のための方法の１つまたは複数の態様を実装し得る。
【００１０】
[0010]例示的な例の第３のセットでは、ワイヤレス通信のための方法を与える。本方法は、ＵＥに無認可スペクトルを介して、データフレームに対応するシーケンス番号と、ＨＡＲＱフィードバックとを送信することを含み得る。本方法は、データフレームに対応するシーケンス番号が、指定された順序でＵＥによって受信されると、ＨＡＲＱフィードバックに応答して、ＵＥから無認可スペクトルを介して、１つまたは複数のデータサブフレームを受信することを含む。データフレームに対応するシーケンス番号が、順序が乱れてＵＥによって受信されると、１つまたは複数のデータサブフレームが、ＵＥによって送信されないことがある。
【００１１】
[0011]いくつかの例では、本方法は、ＵＥに無認可スペクトルを介して、後続のデータフレームに対応するシーケンス番号と、後続のＨＡＲＱフィードバックとを送信することと、後続のデータフレームのためのシーケンス番号が、指定された順序でＵＥによって受信されると、後続のＨＡＲＱフィードバックに応答して、ＵＥから無認可スペクトルを介して、１つまたは複数の追加のデータサブフレームを受信することとをさらに含み得る。ＨＡＲＱフィードバックは、１つまたは複数のＨＡＲＱフィードバックメッセージを含み得、ＵＥから無認可スペクトルを介して、１つまたは複数のデータサブフレームを受信することは、１つまたは複数のＨＡＲＱフィードバックメッセージの各々について別個のデータサブフレームを受信することを含み得る。ＵＥから無認可スペクトルを介して、１つまたは複数のデータサブフレームを受信することは、１つまたは複数の対応するアップリンクサブフレームの各々中に、１つまたは複数のデータサブフレームの各々を受信すること、ここにおいて、各対応するアップリンクサブフレームが、データフレーム中に発生する、を含み得る。ＨＡＲＱフィードバックは、１つまたは複数のアップリンク許可（uplink grants）を含み得る。本方法は、無認可スペクトルの利用可能性を決定するためにＣＣＡを実行することと、無認可スペクトルが利用可能であるという決定が行われると、データフレーム中に、無認可スペクトルにアクセスすることとを含み得る。
【００１２】
[0012]例示的な例の第４のセットでは、ワイヤレス通信のための装置を与える。ワイヤレス通信のための装置は、ＵＥに無認可スペクトルを介して、データフレームに対応するシーケンス番号と、ＨＡＲＱフィードバックとを送信するための手段を含み得る。本装置は、データフレームに対応するシーケンス番号が、指定された順序でＵＥによって受信されると、ＨＡＲＱフィードバックに応答して、ＵＥから無認可スペクトルを介して、１つまたは複数のデータサブフレームを受信することをさらに備え得る。いくつかの例では、本装置は、例示的な例の第３のセットに関して上記で説明したワイヤレス通信のための方法の１つまたは複数の態様を実装し得る。
【００１３】
[0013]説明する方法および装置の適用性のさらなる範囲は、以下の詳細な説明、特許請求の範囲、および図面から明らかになろう。当業者には詳細な説明の趣旨および範囲内の様々な変更および改変が明らかになるので、詳細な説明および特定の例は、例示として与えられるものにすぎない。
【００１４】
[0014]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１５】
【図１】[0015]ワイヤレス通信システムのブロック図。
【図２Ａ】[0016]様々な実施形態による、無認可スペクトルにおいてロングタームエボリューション（ＬＴＥ）を使用するための展開シナリオの例を示す図。
【図２Ｂ】[0017]様々な実施形態による、無認可スペクトルにおいてＬＴＥを使用するスタンドアロンモードの一例を示す図。
【図３】[0018]無認可フレーム／間隔、およびたとえば、ＬＴＥ無線フレームを含む期間フレーム構造（a period frame structure）に対するそれらの関係の様々な例を示す図。
【図４】[0019]ダウンリンク動作モード中の無認可フレーム／間隔の例示的な使用を示す図。
【図５】ダウンリンク動作モード中の無認可フレーム／間隔の例示的な使用を示す図。
【図６】[0020]アップリンク動作モード中の無認可フレーム／間隔の例示的な使用を示す図。
【図７】アップリンク動作モード中の無認可フレーム／間隔の例示的な使用を示す図。
【図８Ａ】[0021]様々な実施形態による、ワイヤレス通信において使用するためのｅＮＢなどのデバイスの例のブロック図。
【図８Ｂ】様々な実施形態による、ワイヤレス通信において使用するためのｅＮＢなどのデバイスの例のブロック図。
【図９Ａ】[0022]様々な実施形態による、ワイヤレス通信において使用するための、ＵＥなどのデバイスの例のブロック図。
【図９Ｂ】様々な実施形態による、ワイヤレス通信において使用するための、ＵＥなどのデバイスの例のブロック図。
【図１０】[0023]様々な実施形態による、ｅＮＢアーキテクチャの一例を示すブロック図。
【図１１】[0024]様々な実施形態による、ＵＥアーキテクチャの一例を示すブロック図。
【図１２】[0025]様々な実施形態による、多入力多出力（ＭＩＭＯ）通信システムの一例を示すブロック図。
【図１３】[0026]様々な実施形態による、（たとえば、ｅＮＢの観点から）ダウンリンク動作モードで無認可スペクトルを使用するワイヤレス通信のための方法の例のフローチャート。
【図１４】様々な実施形態による、（たとえば、ｅＮＢの観点から）ダウンリンク動作モードで無認可スペクトルを使用するワイヤレス通信のための方法の例のフローチャート。
【図１５】[0027]様々な実施形態による、（たとえば、ＵＥの観点から）ダウンリンク動作モードで無認可スペクトルを使用するワイヤレス通信のための方法の一例のフローチャート。
【図１６】[0028]様々な実施形態による、（たとえば、ｅＮＢの観点から）アップリンク動作モードで無認可スペクトルを使用するワイヤレス通信のための方法の一例のフローチャート。
【図１７】[0029]（たとえば、ＵＥの観点から）アップリンク動作モードで無認可スペクトルを使用するワイヤレス通信のための方法の一例のフローチャート。
【詳細な説明】
【００１６】
[0030]ＬＴＥ通信のために無認可スペクトルが使用される方法、システム、および装置について説明する。一般に、事業者は、セルラーネットワークにおいて常に増大する輻輳レベルを軽減するために無認可スペクトルを使用するための主なメカニズムとして、ＷｉＦｉに注目してきた。しかしながら、無認可スペクトルにおけるＬＴＥ（登録商標）に基づくニューキャリアタイプ（ＮＣＴ：a new carrier type）は、キャリアグレードＷｉＦｉに適合し得、それにより、無認可スペクトルまたは共有スペクトルにおけるＬＴＥ／ＬＴＥ−Ａ通信を、ネットワーク輻輳を軽減することを目的としたＷｉＦｉソリューションの代替とする。無認可スペクトルまたは共有スペクトルにおけるＬＴＥ／ＬＴＥ−Ａ通信は、多くのＬＴＥ概念を活用し得、無認可スペクトルにおける効率的な動作をもたらすとともに規制上の要件を満たすために、ネットワークまたはネットワークデバイスの物理レイヤ（ＰＨＹ）およびメディアアクセス制御（ＭＡＣ）の態様にいくつかの変更をもたらし得る。無認可スペクトルは、たとえば、６００メガヘルツ（ＭＨｚ）から６ギガヘルツ（ＧＨｚ）までの範囲にわたる。場合によっては、無認可スペクトルまたは共有スペクトルにおけるＬＴＥ／ＬＴＥ−ＡはＷｉＦｉよりも有意に良好に働き得る。たとえば、（単一または複数の事業者のための）無認可展開または共有展開（an unlicensed or shared deployment）におけるすべてのＬＴＥ／ＬＴＥ−Ａが、すべてのＷｉＦｉ展開に比較されるとき、または高密度スモールセル展開があるとき、無認可展開または共有展開におけるＬＴＥ／ＬＴＥ−ＡはＷｉＦｉよりも有意に良好に働き得る。無認可展開または共有展開におけるＬＴＥ／ＬＴＥ−Ａはまた、無認可展開または共有展開におけるＬＴＥ／ＬＴＥ−Ａが（単一または複数の事業者のための）ＷｉＦｉと混合される場合などの他の場合にはＷｉＦｉよりも良好に働き得る。
【００１７】
[0031]説明する特徴は、データサブフレームおよび／またはＨＡＲＱフィードバックを含むデータフレームの送信に関する。デバイスが複数のデータフレームを介して無認可スペクトルを介して通信しようとするワイヤレス通信システムでは、デバイスは、データフレーム間の送信ギャップを考慮しなければならないことがある。これらの送信ギャップを考慮するために、無認可スペクトルを介した送信のデータフレームにはシーケンス番号が割り当てられ得る。データフレームは、次いで、シーケンス番号の指定された順序に従って、シーケンス番号とともに送信され得る。場合によっては、連続するシーケンス番号が、送信ギャップによって分離されたデータフレームに割り当てられ得る。デバイスが指定された順序でデータフレームを受信すると、デバイスは、それに応答してＨＡＲＱフィードバックおよび／またはデータサブフレームを送信し得る。デバイスが指定された順序でデータフレームを受信しない（たとえば、デバイスが、送信中の第２番目のデータフレームを受信する前に、送信中の第３番目のデータフレームを受信する）と、デバイスは、いかなるデータサブフレームまたはＨＡＲＱフィードバックも送信せず、それによって、デバイスが順序が乱れてデータフレームを受信したことをシグナリングし得る。
【００１８】
[0032]本明細書で説明する技法は、ＬＴＥに限定されず、同じく、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサル・モバイル・テレコミュニケーションシステム（ＵＭＴＳ：Universal Mobile Telecommunication System）の一部である。ＬＴＥおよびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標）：3rd Generation Partnership Project）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明した技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００１９】
[0033]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２０】
[0034]最初に図１を参照すると、図に、ワイヤレス通信システム１００の一例が示されている。システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な実施形態ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のうちのいくつかは、バックホール１３２を通してコアネットワーク１３０と制御情報および／またはユーザデータを通信し得る。一例では、アクセスポイント１０５のうちのいくつかは、ワイヤードまたはワイヤレス通信リンクであり得るバックホールリンク１３４を介して互いと直接または間接的に通信し得る。システム１００は、複数のキャリア（異なる周波数の波形信号）上での動作をサポートし得る。マルチキャリア送信機は、複数のキャリア上で変調された信号を同時に送信することができる。たとえば、各通信リンク１２５は、様々な無線技術に従って変調されたマルチキャリア信号であり得る。各変調された信号は、異なるキャリア上で送られ得、制御情報（たとえば、基準信号、制御チャネルなど）、オーバーヘッド情報、データなどを搬送し得る。
【００２１】
[0035]アクセスポイント１０５は、１つまたは複数のアクセスポイントアンテナを介して、ＵＥ１１５とワイヤレス通信し得る。アクセスポイント１０５の各々は、それぞれのカバレージエリア１１０に対する通信カバレージを与え得る。いくつかの例では、アクセスポイント１０５は、基地局、基地トランシーバ局（ＢＴＳ：base transceiver station）、無線基地局、無線トランシーバ、基本サービスセット（ＢＳＳ：basic service set）、拡張サービスセット（ＥＳＳ：extended service set）、ノードＢ、発展型ノードＢ（ｅＮＢ：evolved NodeB）、ホームノードＢ、ホームｅノードＢ、ＷＬＡＮアクセスポイント、ＷｉＦｉノードまたは何らかの他の好適な用語で呼ばれることがある。アクセスポイントのためのカバレージエリア１１０は、カバレージエリアの一部分のみを構成するセクタ（図示せず）に分割され得る。システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術などの異なる無線技術を利用し得る。アクセスポイント１０５は同じまたは異なるアクセスネットワークまたは事業者展開（operator deployments）に関連付けられ得る。同じもしくは異なるタイプのアクセスポイント１０５のカバレージエリアを含み、同じもしくは異なる無線技術を利用し、および／または同じもしくは異なるアクセスネットワークに属する、異なるアクセスポイント１０５のカバレージエリアは重複し得る。
【００２２】
[0036]いくつかの例では、システム１００は、無認可スペクトルまたは共有スペクトルにおける動作または展開シナリオの１つまたは複数のモードをサポートするＬＴＥ／ＬＴＥ−Ａ通信システム（またはネットワーク）を含み得る。他の実施形態では、システム１００は、無認可スペクトルと、認可スペクトル、無認可スペクトルまたは共有スペクトルにおけるＬＴＥ／ＬＴＥ−Ａとは異なるアクセス技術と、を使用したワイヤレス通信をサポートし得る。ＬＴＥ／ＬＴＥ−Ａ通信システムでは、発展型ノードＢまたはｅＮＢという用語は、概して、アクセスポイント１０５について説明するために使用され得る。システム１００は、異なるタイプのｅＮＢが様々な地理的領域に対するカバレージを与える、異機種ＬＴＥ／ＬＴＥ−Ａネットワークであり得る。たとえば、各ｅＮＢ１０５は、マクロセル、ピコセル、フェムトセル、および／または他のタイプのセルに対する通信カバレージを与え得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２３】
[0037]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介して、および／またはバックホール１３２を介して（たとえば、コアネットワーク１３０を介して）、直接的または間接的に、互いに通信し得る。ワイヤレス通信システム１００は同期動作または非同期動作をサポートし得る。同期動作の場合、ｅＮＢは同様のフレームおよび／またはゲーティングタイミング（gating timing）を有し得、異なるｅＮＢからの送信は近似的に時間的に整合され得る。非同期動作の場合、ｅＮＢは異なるフレームおよび／またはゲーティングタイミングを有し得、異なるｅＮＢからの送信は時間的に整合されないことがある。本明細書で説明する技法は、同期動作または非同期動作のいずれかのために使用され得る。
【００２４】
[0038]ＵＥ１１５は、ワイヤレス通信システム１００全体にわたって分散され得、各ＵＥ１１５は固定または移動であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワーク上で通信することが可能であり得る。
【００２５】
[0039]システム１００に示された通信リンク１２５は、（たとえば、ＵＥ１１５からｅＮＢ１０５への）アップリンク（ＵＬ）送信を搬送するためのアップリンクおよび／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、認可スペクトル（たとえば、ＬＴＥ）、無認可スペクトルもしくは共有スペクトルにおけるＬＴＥ／ＬＴＥ−Ａ、またはその両方を使用して行われ得る。同様に、アップリンク送信は、認可スペクトル（たとえば、ＬＴＥ）、無認可スペクトルもしくは共有スペクトルにおけるＬＴＥ／ＬＴＥ−Ａ、またはその両方を使用して行われ得る。
【００２６】
[0040]システム１００のいくつかの例では、無認可スペクトルまたは共有スペクトルにおけるＬＴＥ／ＬＴＥ−Ａのための様々な展開シナリオが、認可スペクトルにおけるＬＴＥダウンリンク容量が無認可スペクトルにオフロードされ得る補足ダウンリンクモード（a supplemental downlink mode）と、ＬＴＥのダウンリンク容量とアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトルにおいて行われ得るスタンドアロンモードとを含めてサポートされ得る。基地局またはｅＮＢ１０５ならびにＵＥ１１５は、これらのまたは同様の動作モードのうちの１つまたは複数をサポートし得る。ＯＦＤＭＡ通信信号は、無認可および／または認可スペクトルにおけるＬＴＥダウンリンク送信のために通信リンク１２５中で使用され得、一方、ＳＣ−ＦＤＭＡ通信信号は、無認可および／または認可スペクトルにおけるＬＴＥアップリンク送信のために通信リンク１２５中で使用され得る。システム１００などのシステムにおける無認可スペクトルまたは共有スペクトルの展開シナリオまたは動作モードにおけるＬＴＥ／ＬＴＥ−Ａの実装形態、ならびに無認可スペクトルまたは共有スペクトルにおけるＬＴＥ／ＬＴＥ−Ａの動作に関する他の特徴および機能に関するさらなる詳細を、図２〜図１６に関して以下に与える。
【００２７】
[0041]次に図２Ａを参照すると、ワイヤレス通信システム２００は、無認可スペクトルまたは共有スペクトルにおいてＬＴＥ／ＬＴＥ−ＡをサポートするＬＴＥネットワークのための補助ダウンリンクモードおよびキャリアアグリゲーションモードの例を示す。システム２００は、図１のシステム１００の部分の一例であり得る。さらに、基地局２０５は図１の基地局１０５の一例であり得、一方、ＵＥ２１５、２１５−ａ、および２１５−ｂは図１のＵＥ１１５の例であり得る。
【００２８】
[0042]システム２００における補助ダウンリンクモードの例では、基地局２０５は、ダウンリンク２２０を使用してＵＥ２１５にＯＦＤＭＡ通信信号を送信し得る。ダウンリンク２２０は、無認可スペクトルにおける周波数Ｆ１に関連付けられる。基地局２０５は、双方向リンク２２５を使用して同じＵＥ２１５にＯＦＤＭＡ通信信号を送信し得、双方向リンク２２５を使用してそのＵＥ２１５からＳＣ−ＦＤＭＡ通信信号を受信し得る。双方向リンク２２５は、認可スペクトルにおける周波数Ｆ４に関連付けられる。無認可スペクトルの中のダウンリンク２２０および認可スペクトルの中の双方向リンク２２５は、同時に動作し得る。ダウンリンク２２０は、基地局２０５のためにダウンリンク容量のオフロードを与え得る。いくつかの例では、ダウンリンク２２０は、（たとえば、１つのＵＥにアドレス指定された）ユニキャストサービスのために使用され、または（たとえば、いくつかのＵＥにアドレス指定された）マルチキャストサービスのために使用され得る。このシナリオは、認可スペクトルを使用し、トラフィックおよび／またはシグナリング輻輳の一部を軽減する必要がある、あらゆるサービスプロバイダ（たとえば、従来のモバイルネットワーク事業者またはＭＮＯ）に対して生じ得る。
【００２９】
[0043]システム２００におけるキャリアアグリゲーションモードの一例では、基地局２０５は、双方向リンク２３０を使用してＵＥ２１５−ａにＯＦＤＭＡ通信信号を送信し得、双方向リンク２３０を使用して同じＵＥ２１５−ａからＳＣ−ＦＤＭＡ通信信号を受信し得る。双方向リンク２３０は、無認可スペクトルにおける周波数Ｆ１に関連付けられる。基地局２０５はまた、双方向リンク２３５を使用して同じＵＥ２１５−ａにＯＦＤＭＡ通信信号を送信し得、双方向リンク２３５を使用して同じＵＥ２１５−ａからＳＣ−ＦＤＭＡ通信信号を受信し得る。双方向リンク２３５は、認可スペクトルにおける周波数Ｆ２に関連付けられる。双方向リンク２３０は、基地局２０５のためにダウンリンク容量およびアップリンク容量のオフロードを与え得る。上記で説明した補助ダウンリンクのように、このシナリオは、認可スペクトルを使用し、トラフィックおよび／またはシグナリング輻輳の一部を軽減する必要がある、あらゆるサービスプロバイダ（たとえば、ＭＮＯ）に対して生じ得る。
【００３０】
[0044]システム２００におけるキャリアアグリゲーションモードの別の例では、基地局２０５は、双方向リンク２４０を使用してＵＥ２１５−ｂにＯＦＤＭＡ通信信号を送信し得、双方向リンク２４０を使用して同じＵＥ２１５−ｂからＳＣ−ＦＤＭＡ通信信号を受信し得る。双方向リンク２４０は、無認可スペクトルにおける周波数Ｆ３に関連付けられる。基地局２０５はまた、双方向リンク２４５を使用して同じＵＥ２１５−ｂにＯＦＤＭＡ通信信号を送信し得、双方向リンク２４５を使用して同じＵＥ２１５−ｂからＳＣ−ＦＤＭＡ通信信号を受信し得る。双方向リンク２４５は、認可スペクトルにおける周波数Ｆ２に関連付けられる。双方向リンク２４０は、基地局２０５のためにダウンリンク容量およびアップリンク容量のオフロードを与え得る。この例および上記で与えた例は、説明のために提示したものであり、容量オフロードのために認可スペクトルまたは無認可スペクトルにおいてＬＴＥ／ＬＴＥ−Ａを組み合わせる他の同様の動作モードまたは展開シナリオがあり得る。
【００３１】
[0045]上記で説明したように、認可スペクトルまたは無認可スペクトルにおいてＬＴＥ／ＬＴＥ−Ａを使用することによって提供される容量オフロードから利益を得ることがある典型的なサービスプロバイダは、ＬＴＥスペクトルを用いる従来のＭＮＯである。これらのサービスプロバイダにとって、運用上の構成は、認可スペクトル上でＬＴＥ１次コンポーネントキャリア（ＰＣＣ：primary component carrier）を使用し、無認可スペクトル上で無認可または共有スペクトルの２次コンポーネントキャリア（ＳＣＣ：secondary component carrier）においてＬＴＥ／ＬＴＥ−Ａを使用するブートストラップモード（たとえば、補助ダウンリンク、キャリアアグリゲーション）を含み得る。
【００３２】
[0046]キャリアアグリゲーションモードでは、データおよび制御は、概して、ＬＴＥ（たとえば、双方向リンク２２５、２３５、および２４５）で通信され得、一方、データは、概して、無認可スペクトルまたは共有スペクトル（たとえば、双方向リンク２３０および２４０）においてＬＴＥ／ＬＴＥ−Ａで通信され得る。無認可スペクトルまたは共有スペクトルにおいてＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００３３】
[0047]図２Ｂに、無認可スペクトルまたは共有スペクトルにおけるＬＴＥ／ＬＴＥ−Ａのためのスタンドアロンモードの一例を示すワイヤレス通信システム２５０を示す。システム２５０は、図１のシステム１００の部分の一例であり得る。さらに、基地局２０５は、図１および／または図２Ａを参照しながら説明した基地局１０５および／または２０５の一例であり得、一方、ＵＥ２１５−ｃは、図１および／または図２ＡのＵＥ１１５および／または２１５の一例であり得る。
【００３４】
[0048]システム２５０におけるスタンドアロンモードの例では、基地局２０５は、双方向リンク２５５を使用してＵＥ２１５−ｃにＯＦＤＭＡ通信信号を送信し得、双方向リンク２５５を使用してＵＥ２１５−ｃからＳＣ−ＦＤＭＡ通信信号を受信し得る。双方向リンク２５５は、図２Ａに関して上記で説明した無認可スペクトルにおける周波数Ｆ３に関連付けられ得る。スタンドアロンモードは、スタジアム内アクセス(in-stadium access)（たとえば、ユニキャスト、マルチキャスト）などの非従来型ワイヤレスアクセスシナリオにおいて使用され得る。この動作モードの典型的なサービスプロバイダは、認可スペクトルを有しないスタジアムオーナー、ケーブル会社、イベントホスト、ホテル、企業または大規模会社であり得る。
【００３５】
[0049]いくつかの例では、図１、図２Ａ、および／または図２Ｂを参照しながら説明したｅＮＢ１０５および／もしくは２０５または図１、図２Ａ、および／または図２Ｂを参照しながら説明したＵＥ１１５および／もしくは２１５などの送信デバイスは、無認可スペクトルのチャネルへのアクセスを獲得するためにゲーティング間隔(a gating interval)を使用し得る。ゲーティング間隔は、ＥＴＳＩ（ＥＮ３０１  ８９３）において指定されているＬＢＴプロトコルに基づくリスンビフォートーク（ＬＢＴ：Listen Before Talk）などの競合ベースプロトコルの適用を定義し得る。ＬＢＴプロトコルの適用を定義するゲーティング間隔を使用するとき、ゲーティング間隔は、送信デバイスがクリアチャネルアセスメント（ＣＣＡ）を実行する必要があるときを示し得る。ＣＣＡの結果は、無認可スペクトルのチャネルが利用可能であるか、または使用中であるかを送信デバイスに示す。チャネルが利用可能である（たとえば、使用「可」である(“clear” for use)）ことをＣＣＡが示すと、ゲーティング間隔は、通常はあらかじめ定義された送信期間の間、送信デバイスがチャネルを使用することを許可し得る。チャネルが利用可能でない（たとえば、使用中または予約済みである）ことをＣＣＡが示すと、ゲーティング間隔は、送信デバイスが送信期間中にチャネルを使用するのを妨げ得る。
【００３６】
[0050]場合によっては、送信デバイスが、周期的にゲーティング間隔を生成し、周期的フレーム構造の少なくとも１つの境界とゲーティング間隔の少なくとも１つの境界とを同期させることが有用であり得る。たとえば、無認可スペクトルにおいてセルラーダウンリンクのための周期的ゲーティング間隔を生成し、セルラーダウンリンクに関連する周期的フレーム構造（たとえば、ＬＴＥ無線フレーム）の少なくとも１つの境界と周期的ゲーティング間隔の少なくとも１つの境界とを同期させることが有用であり得る。そのような同期の例を図３に示す。
【００３７】
[0051]図３に、無認可スペクトルにおけるセルラーダウンリンクのための無認可フレーム／間隔（unlicensed frame/interval）３０５、３１５、および／または３２５の例３００を示す。無認可フレーム／間隔３０５、３１５、および／または３２５は、無認可スペクトルを介した送信をサポートするｅＮＢによって周期的ゲーティング間隔として使用され得る。そのようなｅＮＢの例としては、図１、図２Ａ、および／または図２Ｂを参照しながら説明したアクセスポイント１０５および／またはｅＮＢ２０５があり得る。無認可フレーム／間隔３０５、３１５、および／または３２５は、図１、図２Ａ、および／または図２Ｂを参照しながら説明したシステム１００、２００、および／または２５０とともに使用され得る。
【００３８】
[0052]例として、無認可フレーム／間隔３０５の持続時間（duration）を、セルラーダウンリンクに関連する周期的フレーム構造のＬＴＥ無線フレーム３１０に等しい（またはそれにほぼ等しい）ものとして示してある。いくつかの例では、「ほぼ等しい」は、無認可フレーム／間隔３０５の持続時間が周期的フレーム構造の持続時間のサイクリックプレフィックス（ＣＰ）持続時間内にあることを意味する。
【００３９】
[0053]無認可フレーム／間隔３０５の少なくとも１つの境界は、ＬＴＥ無線フレームＮ−１〜Ｎ＋１を含む周期的フレーム構造の少なくとも１つの境界と同期され得る。場合によっては、無認可フレーム／間隔３０５は、周期的フレーム構造のフレーム境界と整合された境界を有し得る。他の場合には、無認可フレーム／間隔３０５は、周期的フレーム構造のフレーム境界と同期されているが、それからオフセットされている境界を有し得る。たとえば、無認可フレーム／間隔３０５の境界は、周期的フレーム構造のサブフレーム境界と整合されるか、または周期的フレーム構造のサブフレーム中間点境界（subframe midpoint boundaries）（たとえば、特定のサブフレームの中間点（midpoints））と整合され得る。
【００４０】
[0054]場合によっては、周期的フレーム構造は、ＬＴＥ無線フレームＮ−１〜Ｎ＋１を含み得る。各ＬＴＥ無線フレーム３１０は、たとえば、１０ミリ秒の持続時間を有し得、無認可フレーム／間隔３０５も、１０ミリ秒の持続時間を有し得る。これらの場合、無認可フレーム／間隔３０５の境界は、ＬＴＥ無線フレームのうちの１つ（たとえば、ＬＴＥ無線フレーム（Ｎ））の境界（たとえば、フレーム境界、サブフレーム境界、またはサブフレーム中間点境界）と同期され得る。
【００４１】
[0055]例として、無認可フレーム／間隔３１５および３２５の持続時間を、セルラーダウンリンクに関連する周期的フレーム構造の持続時間の約数（sub-multiples）（またはそれのほぼ約数）であるものとして示してある。いくつかの例では、「〜のほぼ約数」は、無認可フレーム／間隔３１５、３２５の持続時間が周期的フレーム構造の約数（たとえば、１／２または１／１０）の持続時間のサイクリックプレフィックス（ＣＰ）持続時間内にあることを意味する。たとえば、無認可フレーム／間隔３１５は、５ミリ秒の持続時間を有し得、無認可フレーム／間隔３２５は、１または２ミリ秒の持続時間を有し得る。
【００４２】
[0056]図４に、無認可フレーム／間隔４０５、４０５−ａの例示的な使用４００を示す。いくつかの例では、無認可フレーム／間隔４０５、４０５−ａは、図１、図２Ａ、および／または図２Ｂを参照しながら説明したｅＮＢ１０５および／または２０５のうちの１つまたは複数によって使用されるフレームの例であり得る。無認可フレーム／間隔４０５は、ＣＣＡスロット期間４１０、送信要求（ＲＴＳ）信号期間４１５、送信可（ＣＴＳ）信号期間４２０、シーケンス番号（またはシーケンス番号期間）４２５、および／またはいくつかのデータサブフレーム４３０、４３１、４３２、４３３を含み得る。場合によっては、無認可フレーム／間隔４０５は、５または１０ミリ秒の持続時間を有し得る。
【００４３】
[0057]ＣＣＡスロット期間４１０は、１つまたは複数のＣＣＡスロットを含み得る。場合によっては、複数のＣＣＡスロットのうちの１つは、無認可スペクトルの利用可能性を決定するためのＣＣＡを実行するためにｅＮＢによって擬似ランダムに選択され得る。複数のＣＣＡスロットは、同じ事業者展開の複数のｅＮＢの一部または全部が複数のＣＣＡスロットのうちの共通する１つの中でＣＣＡを実行し、異なる事業者展開の複数のｅＮＢが複数のＣＣＡスロットのうちの異なる複数の中でＣＣＡを実行するように擬似ランダムに（pseudo-randomly）選択され得る。無認可フレーム／間隔４０５の連続するインスタンスでは、複数のＣＣＡスロットの擬似ランダム選択は、異なる事業者展開が複数のＣＣＡスロットのうちの最初のスロットを選択するという結果になり得る。このようにして、いくつかの事業者展開の各々は、ＣＣＡを実行する最初の機会を与えられ得る（たとえば、第１の事業者展開が、１つの無認可フレーム／間隔中の最初のＣＣＡスロットを選択し得、第２の事業者展開が、後続のフレーム／間隔中の最初のＣＣＡスロットを選択し得るなど）。いくつかの事例では、複数のＣＣＡスロットはそれぞれ、約２０マイクロ秒の持続時間を有し得る。
【００４４】
[0058]ｅＮＢが、無認可スペクトルの利用可能性を決定するためにＣＣＡを実行し、無認可スペクトルが利用可能であると決定すると、ｅＮＢは、１つまたは複数のデータサブフレーム４３０、４３１、４３２、４３３を送信するための送信期間（a transmission period）を予約し得る。場合によっては、複数の協調ｅＮＢ（coordinated eNBs）（たとえば、２つ以上の協調ｅＮＢ）は、送信期間を予約し、データを送信し得る。２つ以上のｅＮＢによる送信期間の同時使用は、直交送信、多重化送信、ならびに／または協調ｅＮＢのセットによって採用される他の時間および／もしくは周波数共有機構（frequency sharing mechanism）の使用の結果として可能になり得る。
【００４５】
[0059]随意に、ＲＴＳ信号期間４１５およびＣＴＳ信号期間４２０は、（たとえば、ＣＣＡを使用するのではなく、または、そうすることとともに）無認可スペクトルを介したチャネルアクセスを要求し、予約するために使用され得る。
【００４６】
[0060]ＵＥに１つまたは複数のデータサブフレーム４３０、４３１、４３２、４３３の各々を送信すると、ＵＥは、ハイブリッド自動再送要求（ＨＡＲＱ）フィードバック４４５、４４６、４４７、４４８でｅＮＢに応答し得る。例として、ＨＡＲＱフィードバック４４５、４４６、４４７、４４８は、ｅＮＢに、（たとえば、肯定応答（ＡＣＫ）または否定応答（ＮＡＣＫ）を介して）１つまたは複数のデータサブフレーム４３０、４３１、４３２、４３３がＵＥによってうまく受信され、復号されたかどうかを示し得る。場合によっては、ＨＡＲＱフィードバックは、１つまたは複数のデータサブフレーム４３０、４３１、４３２、４３３の各々について別個のＨＡＲＱフィードバックメッセージ４４５、４４６、４４７、４４８として送信され得る。各ＨＡＲＱフィードバックメッセージ（たとえば、メッセージ４４５）は、ＵＥによる対応するデータサブフレーム４３０の受信に続く復号遅延（a decoding delay）４４０の後に送信され得る。
【００４７】
[0061]様々な例によれば、ＵＥは、データフレーム４０５に対応するそのシーケンス番号（ＳＥＱ＃１）が指定された順序で受信された（たとえば、データフレーム４０５が送信中の最初のデータフレームとして受信された）と決定した後にＨＡＲＱフィードバックメッセージ４４５、４４６、４４７、４４８を送信し得る。その後、ｅＮＢは、ＣＣＡスロット期間（slot period）４１０−ａ、ＲＴＳ信号期間（signal period）４１５−ａ、ＣＴＳ信号期間４２０−ａ、シーケンス番号（またはシーケンス番号期間）４２５−ａ、および／またはいくつかのデータサブフレーム４３０−ａ、４３１−ａ、４３２−ａ、４３３−ａを含む後続のデータフレーム４０５−ａを送信し得る。ＵＥが、後続のデータフレーム４０５−ａのシーケンス番号（ＳＥＱ＃２）を受信すると、ＵＥは、後続のデータフレーム４０５−ａが、指定された順序で受信された（たとえば、後続のデータフレーム４０５−ａが送信中の第２番目のデータフレームとして受信された）と決定し、それぞれの復号遅延（たとえば、遅延４４０−ａ）に続いてデータサブフレーム４３０−ａ、４３１−ａ、４３２−ａ、４３３−ａに対するＨＡＲＱフィードバックメッセージ４４５−ａ、４４６−ａ、４４７−ａ、４４８−ａを送信することに進み得る。
【００４８】
[0062]図５に、無認可フレーム／間隔５０５、５０５−ａの例示的な使用５００を示す。いくつかの例では、無認可フレーム／間隔５０５、５０５−ａは、図１、図２Ａ、および／または図２Ｂを参照しながら説明したｅＮＢ１０５および／または２０５のうちの１つまたは複数によって使用されるフレームの例であり得る。無認可フレーム／間隔５０５は、ＣＣＡスロット期間５１０、ＲＴＳ信号期間５１５、ＣＴＳ信号期間５２０、シーケンス番号（またはシーケンス番号期間）５２５、および／またはいくつかのデータサブフレーム５３０、５３１、５３２、５３３を含み得る。場合によっては、無認可フレーム／間隔５０５は、５または１０ミリ秒の持続時間を有し得る。
【００４９】
[0063]ＣＣＡスロット期間５１０は、１つまたは複数のＣＣＡスロットを含み得る。場合によっては、複数のＣＣＡスロットのうちの１つは、無認可スペクトルの利用可能性を決定するためのＣＣＡを実行するためにｅＮＢによって擬似ランダムに選択され得る。複数のＣＣＡスロットは、同じ事業者展開の複数のｅＮＢの一部または全部が複数のＣＣＡスロットのうちの共通する１つの中でＣＣＡを実行し、異なる事業者展開の複数のｅＮＢが複数のＣＣＡスロットのうちの異なる複数の中でＣＣＡを実行するように擬似ランダムに選択され得る。無認可フレーム／間隔４０５の連続するインスタンスでは、複数のＣＣＡスロットの擬似ランダム選択は、異なる事業者展開が複数のＣＣＡスロットのうちの最初のスロットを選択するという結果になり得る。このようにして、いくつかの事業者展開の各々は、ＣＣＡを実行する最初の機会を与えられ得る（たとえば、第１の事業者展開が、１つの無認可フレーム／間隔中の最初のＣＣＡスロットを選択し得、第２の事業者展開が、後続のフレーム／間隔中の最初のＣＣＡスロットを選択し得るなど）。いくつかの事例では、複数のＣＣＡスロットはそれぞれ、約２０マイクロ秒の持続時間を有し得る。
【００５０】
[0064]ｅＮＢが、無認可スペクトルの利用可能性を決定するためにＣＣＡを実行し、無認可スペクトルが利用可能であると決定すると、ｅＮＢは、１つまたは複数のデータサブフレーム５３０、５３１、５３２、５３３を送信するための送信期間を予約し得る。場合によっては、複数の協調ｅＮＢ（たとえば、２つ以上の協調ｅＮＢ）は、送信期間を予約し、データを送信し得る。２つ以上のｅＮＢによる送信期間の同時使用は、直交送信、多重化送信、ならびに／または協調ｅＮＢのセットによって採用される他の時間および／もしくは周波数共有機構の使用の結果として可能になり得る。
【００５１】
[0065]随意に、ＲＴＳ信号期間５１５およびＣＴＳ信号期間５２０は、（たとえば、ＣＣＡを使用するのではなく、または、そうすることとともに）無認可スペクトルを介したチャネルアクセスを要求し、予約するために使用され得る。
【００５２】
[0066]ＵＥに１つまたは複数のデータサブフレーム５３０、５３１、５３２、５３３の各々を送信すると、ＵＥは、ハイブリッド自動再送要求（ＨＡＲＱ）フィードバック５４５、５４６、５４７、５４８でｅＮＢに応答し得る。例として、ＨＡＲＱフィードバック５４５、５４６、５４７、５４８は、ｅＮＢに、（たとえば、肯定応答（ＡＣＫ）または否定応答（ＮＡＣＫ）を介して）１つまたは複数のデータサブフレーム５３０、５３１、５３２、５３３がＵＥによってうまく受信され、復号されたかどうかを示し得る。場合によっては、ＨＡＲＱフィードバックは、１つまたは複数のデータサブフレーム５３０、５３１、５３２、５３３の各々について別個のＨＡＲＱフィードバックメッセージ５４５、５４６、５４７、５４８として送信され得る。各ＨＡＲＱフィードバックメッセージ（たとえば、メッセージ５４５）は、ＵＥによる対応するデータサブフレーム５３０の受信に続く復号遅延５４０の後に送信され得る。
【００５３】
[0067]様々な例によれば、ＵＥは、指定された順序でデータフレーム５０５に対応するそのシーケンス番号（ＳＥＱ＃１）が受信された（たとえば、データフレーム５０５が送信中の最初のデータフレームとして受信された）と決定した後にＨＡＲＱフィードバックメッセージ５４５、５４６、５４７、５４８を送信し得る。その後、ｅＮＢは、ＣＣＡスロット期間５１０−ａ、ＲＴＳ信号期間５１５−ａ、ＣＴＳ信号期間５２０−ａ、シーケンス番号（またはシーケンス番号期間）５２５−ａ、および／またはいくつかのデータサブフレーム５３０−ａ、５３１−ａ、５３２−ａ、５３３−ａを含む後続のデータフレーム５０５−ａを送信し得る。ＵＥが、後続のデータフレーム５０５−ａのシーケンス番号（ＳＥＱ＃３）を受信すると、ＵＥは、後続のデータフレーム５０５−ａが順序が乱れて受信された（たとえば、後続のデータフレーム５０５−ａがＵＥによって受信された第２番目のデータフレームであるが、それのシーケンス番号（ＳＥＱ＃３）が、それが送信中の第３番目のデータフレームであることを示す）と決定し、１つまたは複数のデータサブフレーム５３０−ａ、５３１−ａ、５３２−ａ、５３３−ａについてのＨＡＲＱフィードバックを送信しないことがある。ｅＮＢは、いかなるＨＡＲＱフィードバックも受信しないので、シーケンス番号ＳＥＱ＃２に対応するデータフレーム（またはデータフレームのコンテンツ）、ならびにデータフレーム５０５−ａ（またはデータフレーム５０５−ａのコンテンツ）を再送信し得る。
【００５４】
[0068]図６に、無認可フレーム／間隔６０５、６０５−ａの例示的な使用６００を示す。いくつかの例では、無認可フレーム／間隔６０５、６０５−ａは、図１、図２Ａ、および／または図２Ｂを参照しながら説明したｅＮＢ１０５および／または２０５のうちの１つまたは複数によって使用されるフレームの例であり得る。無認可フレーム／間隔６０５は、ＣＣＡスロット期間６１０、ＲＴＳ信号期間６１５、ＣＴＳ信号期間６２０、シーケンス番号（またはシーケンス番号期間）６２５および／またはアップリンク許可を含むいくつかのＨＡＲＱフィードバックメッセージ６３０、６３１、６３２、６３３を含み得る。場合によっては、無認可フレーム／間隔６０５は、５または１０ミリ秒の持続時間を有し得る。
【００５５】
[0069]ＣＣＡスロット期間６１０は、１つまたは複数のＣＣＡスロットを含み得る。場合によっては、複数のＣＣＡスロットのうちの１つは、無認可スペクトルの利用可能性を決定するためのＣＣＡを実行するためにｅＮＢによって擬似ランダムに選択され得る。複数のＣＣＡスロットは、同じ事業者展開の複数のｅＮＢの一部または全部が複数のＣＣＡスロットのうちの共通の１つのスロットの中でＣＣＡを実行し、異なる事業者展開の複数のｅＮＢが複数のＣＣＡスロットのうちの異なる複数のスロットの中でＣＣＡを実行するように、擬似ランダムに選択され得る。無認可フレーム／間隔６０５の連続する事例では、複数のＣＣＡスロットの擬似ランダム選択は、異なる事業者展開が複数のＣＣＡスロットのうちの第１番目のスロットを選択することになり得る。このようにして、いくつかの事業者展開の各々は、ＣＣＡを実行する第１番目の機会が与えられ得る（たとえば、第１の事業者展開は、１つの無認可フレーム／間隔において第１番目のＣＣＡスロットを選択し得、第２の事業者展開は、後続のフレーム／間隔において第１番目のＣＣＡスロットを選択し得るなど）。いくつかの事例では、複数のＣＣＡスロットはそれぞれ、約２０マイクロ秒の持続時間を有し得る。
【００５６】
[0070]ｅＮＢが、無認可スペクトルの利用可能性を決定するためにＣＣＡを実行し、無認可スペクトルが利用可能であると決定すると、ｅＮＢは、１つまたは複数のＨＡＲＱフィードバックメッセージ６３０、６３１、６３２、６３３を送信するための送信期間を予約し得る。場合によっては、複数の協調ｅＮＢ（たとえば、２つ以上の協調ｅＮＢ）は、送信期間を予約し、データを送信し得る。２つ以上のｅＮＢによる送信期間の同時使用は、直交送信、多重化送信、ならびに／または協調ｅＮＢのセットによって採用される他の時間および／もしくは周波数共有機構の使用の結果として可能になり得る。
【００５７】
[0071]随意に、ＲＴＳ信号期間６１５およびＣＴＳ信号期間６２０は、（たとえば、ＣＣＡを使用するのではなく、または、そうすることとともに）無認可スペクトルを介したチャネルアクセスを要求し、予約するために使用され得る。
【００５８】
[0072]ＵＥに１つまたは複数のＨＡＲＱフィードバックメッセージ６３０、６３１、６３２、６３３の各々を送信すると、ＵＥは、１つまたは複数のデータサブフレーム６４５、６４６、６４７、６４８を送信することによってｅＮＢに応答し得る。各データサブフレーム（たとえば、メッセージ６４５）は、対応するアップリンク許可（たとえば、ＨＡＲＱフィードバック６３０とともに含まれるアップリンク許可）の受信に続く復号遅延６４０の後に送信され得る。
【００５９】
[0073]様々な例によれば、ＵＥは、指定された順序でデータフレーム６０５に対応するそのシーケンス番号（ＳＥＱ＃１）が受信された（たとえば、データフレーム６０５が送信中の最初のデータフレームとして受信された）と決定した後にデータサブフレーム６４５、６４６、６４７、６４８を送信し得る。その後、ｅＮＢは、ＣＣＡスロット期間６１０−ａ、ＲＴＳ信号期間６１５−ａ、ＣＴＳ信号期間６２０−ａ、シーケンス番号（またはシーケンス番号期間）６２５−ａ、および／またはいくつかのＨＡＲＱフィードバックメッセージ６３０−ａ、６３１−ａ、６３２−ａ、６３３−ａを含む後続のデータフレーム６０５−ａを送信し得る。ＵＥが、後続のデータフレーム６０５−ａのシーケンス番号（ＳＥＱ＃２）を受信すると、ＵＥは、後続のデータフレーム６０５−ａが、指定された順序で受信された（たとえば、後続のデータフレーム６０５−ａが送信中の第２番目のデータフレームとして受信された）と決定し、それぞれの復号遅延（たとえば、遅延６４０−ａ）に続いてＨＡＲＱフィードバックメッセージ６３０−ａ、６３１−ａ、６３２−ａ、６３３−ａに応答して１つまたは複数のデータサブフレーム６４５−ａ、６４６−ａ、６４７−ａ、６４８−ａを送信することに進み得る。
【００６０】
[0074]図７に、無認可フレーム／間隔７０５、７０５−ａの例示的な使用７００を示す。いくつかの例では、無認可フレーム／間隔７０５、７０５−ａは、図１、図２Ａ、および／または図２Ｂを参照しながら説明したｅＮＢ１０５および／または２０５のうちの１つまたは複数によって使用されるフレームの例であり得る。無認可フレーム／間隔７０５は、ＣＣＡスロット期間７１０、ＲＴＳ信号期間７１５、ＣＴＳ信号期間７２０、シーケンス番号（またはシーケンス番号期間）７２５および／またはアップリンク許可を含むいくつかのＨＡＲＱフィードバックメッセージ７３０、７３１、７３２、７３３を含み得る。場合によっては、無認可フレーム／間隔７０５は、５または１０ミリ秒の持続時間を有し得る。
【００６１】
[0075]ＣＣＡスロット期間７１０は、１つまたは複数のＣＣＡスロットを含み得る。場合によっては、複数のＣＣＡスロットのうちの１つは、無認可スペクトルの利用可能性を決定するためのＣＣＡを実行するためにｅＮＢによって擬似ランダムに選択され得る。Ｃ複数のＣＡスロットは、同じ事業者展開の複数のｅＮＢの一部または全部が複数のＣＣＡスロットのうちの共通の１つのスロットの中でＣＣＡを実行し、異なる事業者展開の複数のｅＮＢが複数のＣＣＡスロットのうちの異なる複数のスロットの中でＣＣＡを実行するように、擬似ランダムに選択され得る。無認可フレーム／間隔７０５の連続する事例では、複数のＣＣＡスロットの擬似ランダム選択は、異なる事業者展開が複数のＣＣＡスロットのうちの第１番目のスロットを選択することになり得る。このようにして、いくつかの事業者展開の各々は、ＣＣＡを実行する第１番目の機会が与えられ得る（たとえば、第１の事業者展開は、１つの無認可フレーム／間隔において第１番目のＣＣＡスロットを選択し得、第２の事業者展開は、後続のフレーム／間隔において第１番目のＣＣＡスロットを選択し得るなど）。いくつかの事例では、複数のＣＣＡスロットはそれぞれ、約２０マイクロ秒の持続時間を有し得る。
【００６２】
[0076]ｅＮＢが、無認可スペクトルの利用可能性を決定するためにＣＣＡを実行し、無認可スペクトルが利用可能であると決定すると、ｅＮＢは、１つまたは複数のＨＡＲＱフィードバックメッセージ７３０、７３１、７３２、７３３を送信するための送信期間を予約し得る。場合によっては、複数の協調ｅＮＢ（たとえば、２つ以上の協調ｅＮＢ）は、送信期間を予約し、データを送信し得る。２つ以上のｅＮＢによる送信期間の同時使用は、直交送信、多重化送信、ならびに／または協調ｅＮＢのセットによって採用される他の時間および／もしくは周波数共有機構の使用の結果として可能になり得る。
【００６３】
[0077]随意に、ＲＴＳ信号期間７１５およびＣＴＳ信号期間７２０は、（たとえば、ＣＣＡを使用するのではなく、または、そうすることとともに）無認可スペクトルを介したチャネルアクセスを要求し、予約するために使用され得る。たとえば、ｅＮＢは、無認可スペクトルを介したチャネルアクセスを予約するために送信要求（ＲＴＳ）信号を送信し、ＲＴＳ信号に応答して、送信のために無認可スペクトルがいつ利用可能であるかを識別するＣＴＳ信号を受信し得る。追加または代替として、ｅＮＢは、送信のために無認可スペクトルがいつ利用可能であるかを示すためにそれ自体にＣＴＳ信号を送信し得る。
【００６４】
[0078]ＵＥに１つまたは複数のＨＡＲＱフィードバックメッセージ７３０、７３１、７３２、７３３の各々を送信すると、ＵＥは、１つまたは複数のデータサブフレーム７４５、７４６、７４７、７４８を送信することによってｅＮＢに応答し得る。各データサブフレーム（たとえば、データサブフレーム７４５）は、対応するアップリンク許可（たとえば、ＨＡＲＱフィードバック７３０とともに含まれるアップリンク許可）の受信に続く復号遅延７４０の後に送信され得る。
【００６５】
[0079]様々な例によれば、ＵＥは、指定された順序でデータフレーム７０５に対応するそのシーケンス番号（ＳＥＱ＃１）が受信された（たとえば、データフレーム７０５が送信中の最初のデータフレームとして受信された）と決定した後にデータサブフレーム７４５、７４６、７４７、７４８を送信し得る。その後、ｅＮＢは、ＣＣＡスロット期間７１０−ａ、ＲＴＳ信号期間７１５−ａ、ＣＴＳ信号期間７２０−ａ、シーケンス番号（またはシーケンス番号期間）７２５−ａ、および／またはいくつかのＨＡＲＱフィードバックメッセージ７３０−ａ、７３１−ａ、７３２−ａ、７３３−ａを含む後続のデータフレーム７０５−ａを送信し得る。ＵＥが、後続のデータフレーム７０５−ａのシーケンス番号（ＳＥＱ＃３）を受信すると、ＵＥは、後続のデータフレーム７０５−ａが順序が乱れて受信された（たとえば、後続のデータフレーム５０５−ａがＵＥによって受信された第２番目のデータフレームであるが、それのシーケンス番号（ＳＥＱ＃３）が、それが送信中の第３番目のデータフレームであることを示す）と決定し、ＨＡＲＱフィードバックメッセージ７３０−ａ、７３１−ａ、７３２−ａ、７３３−ａのアップリンク許可に応答していかなるデータサブフレームも送信しないことがある。ｅＮＢは、いかなるデータサブフレームも受信しないので、シーケンス番号ＳＥＱ＃２に対応するデータフレーム（またはデータフレームのコンテンツ）、ならびにデータフレーム７０５−ａまたはデータフレーム７０５−ａのコンテンツを再送信し得る。
【００６６】
[0080]図８Ａを参照すると、ブロック図８００に、様々な例による、ワイヤレス通信において使用するためのデバイス８０５を示す。いくつかの例では、デバイス８０５は、図１、図２Ａ、および／または図２Ｂを参照しながら説明したｅＮＢ１０５、および／または２０５の１つまたは複数の態様の一例であり得る。デバイス８０５はまた、プロセッサであり得る。デバイス８０５は、受信機モジュール８１０、ｅＮＢ  ＬＴＥ  ＨＡＲＱモジュール８２０、および／または送信機モジュール８３０を含み得る。これらの構成要素の各々は互いと通信していることがある。
【００６７】
[0081]デバイス８０５の構成要素は、ハードウェアにおいて適用可能な機能の一部または全部を実行するように適応された１つまたは複数の特定用途向け集積回路（ＡＳＩＣ）で、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６８】
[0082]いくつかの例では、受信機モジュール８１０は、認可スペクトル（たとえば、ＬＴＥスペクトル）および／または無認可スペクトルにおける送信を受信するように動作可能な無線周波数（ＲＦ）受信機などのＲＦ受信機であるか、またはそれを含み得る。受信機モジュール８１０は、図１、図２Ａ、および／または図２Ｂを参照しながら説明したワイヤレス通信システム１００、２００、および／または２５０の１つもしくは複数の通信リンクなど、認可スペクトルおよび無認可スペクトルを含むワイヤレス通信システムの１つまたは複数の通信リンクを介して様々なタイプのデータおよび／または制御信号（すなわち、送信）を受信するために使用され得る。
【００６９】
[0083]いくつかの例では、送信機モジュール８３０は、認可スペクトルおよび／または無認可スペクトルにおいて送信するように動作可能なＲＦ送信機などのＲＦ送信機であるか、またはそれを含み得る。送信機モジュール８３０は、図１、図２Ａ、および／または図２Ｂを参照しながら説明したワイヤレス通信システム１００、２００、および／または２５０の１つもしくは複数の通信リンクなど、ワイヤレス通信システムの１つまたは複数の通信リンクを介して様々なタイプのデータおよび／または制御信号（すなわち、送信）を送信するために使用され得る。
【００７０】
[0084]いくつかの例または動作モードでは（たとえば、デバイス８０５とＵＥとの間のダウンリンク動作モードでは）、ｅＮＢ  ＬＴＥ  ＨＡＲＱモジュール８２０は、ＵＥに無認可スペクトルを介してデータフレームに対応するシーケンス番号と、データフレームの１つまたは複数のデータサブフレームとを送信し得る。データフレーム４０５に対応するシーケンス番号４２５および１つまたは複数のデータサブフレーム４３０、４３１、４３２、４３３の例示的な送信について、図４を参照しながら説明した。データフレームに対応するシーケンス番号が指定された順序（たとえば、番号順（numerical order））でＵＥによって受信されると、ｅＮＢ  ＬＴＥ  ＨＡＲＱモジュール８２０は、ＵＥから、１つまたは複数のデータサブフレームについてのＨＡＲＱフィードバックを受信し得る。ＨＡＲＱフィードバックは、無認可スペクトルを介して受信され得る。ＨＡＲＱフィードバック４４５、４４６、４４７、４４８の例示的な送信についても、図４を参照しながら説明した。
【００７１】
[0085]いくつかの例または動作モードでは（たとえば、デバイス８０５とＵＥとの間のアップリンク動作モードでは）、ｅＮＢ  ＬＴＥ  ＨＡＲＱモジュール８２０は、ＵＥに無認可スペクトルを介してデータフレームに対応するシーケンス番号と、ＨＡＲＱフィードバックとを送信し得る。場合によっては、ＨＡＲＱフィードバックは、１つまたは複数のアップリンク許可を含み得る。データフレーム６０５に対応するシーケンス番号６２５、およびアップリンク許可６３０、６３１、６３２、６３３を含むＨＡＲＱフィードバックの例示的な送信について、図６を参照しながら説明した。データフレームに対応するシーケンス番号が指定された順序（たとえば、番号順）でＵＥによって受信されると、ｅＮＢ  ＬＴＥ  ＨＡＲＱモジュール８２０は、ＨＡＲＱフィードバックに応答してＵＥから１つまたは複数のデータサブフレームを受信し得る。１つまたは複数のデータサブフレームは、無認可スペクトルを介して受信され得る。１つまたは複数のデータサブフレーム６４５、６４６、６４７、６４８の例示的な送信について、図６を参照しながら説明した。
【００７２】
[0086]図８Ｂを参照すると、ブロック図８５０に、様々な実施形態による、ワイヤレス通信において使用するためのデバイス８５５を示す。いくつかの例では、デバイス８５５は、図１、図２Ａ、図２Ｂ、および／または図８を参照しながら説明したｅＮＢ１０５、２０５、および／または８０５の１つまたは複数の態様の一例であり得る。デバイス８５５はまた、プロセッサであり得る。デバイス８５５は、受信機モジュール８１２、ｅＮＢ  ＬＴＥ  ＨＡＲＱモジュール８６０、ＣＣＡモジュール８６１、および／または送信機モジュール８３２を含み得る。これらの構成要素の各々は互いに通信していることがある。
【００７３】
[0087]デバイス８５５の構成要素は、ハードウェアにおいて適用可能な機能の一部または全部を実行するように適応された１つまたは複数のＡＳＩＣで、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７４】
[0088]いくつかの例では、受信機モジュール８１２は、認可スペクトル（たとえば、ＬＴＥスペクトル）および／または無認可スペクトルにおける送信を受信するように動作可能な無線周波数（ＲＦ）受信機などのＲＦ受信機であるか、またはそれを含み得る。ＲＦ受信機は、認可スペクトルおよび無認可スペクトルのための別個の受信機を含み得る。別個の受信機は、場合によっては、ＬＴＥシステムフレーム番号（ＳＦＮ）モジュール８１４およびＬＴＥフレームシーケンス番号モジュール８１６の形態をとり得る。ＬＴＥ  ＳＦＮモジュール８１４は、ＳＦＮの使用に従ってＬＴＥフレームを受信するために使用され得、ＬＴＥフレームシーケンス番号モジュール８１６は、シーケンス番号の使用に従って無認可スペクトルフレームまたは共有スペクトルフレーム中でＬＴＥ／ＬＴＥ−Ａを受信するために使用され得る。無認可スペクトル動作または共有スペクトル動作においてＬＴＥ／ＬＴＥ−Ａのためにデバイス８５５が使用されるとき、ＬＴＥ  ＳＦＮモジュール８１４は、（点線によって示すように）随意であり得る。モジュール８１４および／または８１６を含む受信機モジュール８１２は、図１、図２Ａ、および／または図２Ｂを参照しながら説明したワイヤレス通信システム１００、２００、および／または２５０の１つもしくは複数の通信リンクなど、認可スペクトルおよび無認可スペクトルを含むワイヤレス通信システムの１つまたは複数の通信リンクを介して様々なタイプのデータおよび／または制御信号（すなわち、送信）を受信するために使用され得る。
【００７５】
[0089]いくつかの例では、送信機モジュール８３２は、認可スペクトルおよび／または無認可スペクトルにおいて送信するように動作可能なＲＦ送信機などのＲＦ送信機であるか、またはそれを含み得る。ＲＦ送信機は、認可スペクトルおよび無認可スペクトルのための別個の送信機を含み得る。別個の送信機は、場合によっては、ＬＴＥ  ＳＦＮモジュール８３４およびＬＴＥフレームシーケンス番号モジュール８３６の形態をとり得る。ＬＴＥ  ＳＦＮモジュール８３４は、ＳＦＮの使用に従ってＬＴＥフレームを受信するために使用され得、ＬＴＥフレームシーケンス番号モジュール８３６は、シーケンス番号の使用に従って無認可スペクトルフレームまたは共有スペクトルフレーム中でＬＴＥ／ＬＴＥ−Ａを受信するために使用され得る。ＬＴＥ動作のためにデバイス８５５が使用されるとき、ＬＴＥ  ＳＦＮモジュール８３４は、（点線によって示すように）随意であり得る。モジュール８３４および８３６を含む送信機モジュール８３２は、図１、図２Ａ、および／または図２Ｂを参照しながら説明したワイヤレス通信システム１００、２００、および／または２５０の１つまたは複数の通信リンクなど、ワイヤレス通信システムの１つまたは複数の通信リンクを介して、様々なタイプのデータおよび／または制御信号（すなわち、伝送）を送信するために使用され得る。
【００７６】
[0090]いくつかの例では、ＣＣＡモジュール８６１は、無認可スペクトルの利用可能性を決定するためにＣＣＡを実行し得る。無認可スペクトルが利用可能であるという決定が行われると、無認可スペクトルは、ＣＣＡが適用されるデータフレーム中にアクセスされ得る。ＣＣＡモジュール８６１は、それが無認可スペクトルにアクセスしたいと望む間、データフレームごとにそれぞれのＣＣＡを実行し得る。
【００７７】
[0091]ｅＮＢ  ＬＴＥ  ＨＡＲＱモジュール８６０は、図８Ａを参照しながら説明したｅＮＢ  ＬＴＥ  ＨＡＲＱモジュール８２０の一例であり得、ＲＴＳ／ＣＴＳモジュール８６２、シーケンス番号モジュール８６３、ＤＬ  ＨＡＲＱモジュール８６４、および／またはＵＬ  ＨＡＲＱモジュール８６６を含み得る。これらの構成要素の各々は互いに通信していることがある。
【００７８】
[0092]ＲＴＳ／ＣＴＳモジュール８６２は、ＲＴＳ／ＣＴＳメッセージおよび／または自分宛のＣＴＳメッセージ（self-addressed CTS messages）を使用して無認可スペクトルを介したチャネルアクセスを予約するために使用され得る。いくつかの例では、ＲＴＳ／ＣＴＳモジュール８６２は、（たとえば、ＣＣＡモジュール９６１を使用するのではなく、または、そうすることとともに）無認可スペクトルを介したチャネルアクセスを要求し、予約するために使用され得る。たとえば、ＲＴＳ／ＣＴＳモジュール８６２は、無認可スペクトルを介したチャネルアクセスを予約するために送信要求（ＲＴＳ）信号を送信し得る。他の例では、ＲＴＳ／ＣＴＳモジュール８６２は、無認可スペクトルの利用可能性を決定するために、または無認可スペクトルを介したチャネルアクセスを要求するためにＲＴＳ信号を送信し得る。それに応答して、ＲＴＳ／ＣＴＳモジュール８６２は、送信のために無認可スペクトルがいつ利用可能であるかを識別する送信可（ＣＴＳ）信号を受信し得る。追加または代替として、ＲＴＳ／ＣＴＳモジュール８６２は、送信のために無認可スペクトルがいつ利用可能であるかを示すためにそれ自体にＣＴＳ信号を送信し得る。
【００７９】
[0093]いくつかの例では、シーケンス番号モジュール８６３は、無認可スペクトルを介して送信されるべきいくつかのデータフレームの各々のためのシーケンス番号を生成し得る。例として、シーケンス番号は、番号順で、またはデバイス８５５が通信するＵＥ（または複数のＵＥ）に知られているか、もしくはそれに搬送される何らかの他の順序で生成され得る。データフレームの送信と併せてＵＥに送信されると、データフレームに対応するシーケンス番号により、ＵＥは、データフレームが指定された順序で受信されたか、または順序が乱れて受信されたかを決定することが可能になり得る。データフレームが指定された順序でＵＥによって受信されると、ＵＥは、デバイス８５５にＨＡＲＱフィードバックおよび／または１つもしくは複数のデータサブフレームを送信することによってデバイス８５５の送信に応答し得る。データフレームが順序が乱れてＵＥによって受信されると、ＵＥは、デバイス８５５に応答せず、それによって、デバイス８５５に、消失が発生した、破損した、またはさもなければ復号可能でないデータフレームをＵＥに再送信する必要があることをシグナリングし得る。
【００８０】
[0094]ＤＬ  ＨＡＲＱモジュール８６４は、デバイス８５５のダウンリンク動作モード（たとえば、デバイス８５５とＵＥとの間のダウンリンクモード）において使用され得る。そのようなモードでは、ＤＬ  ＨＡＲＱモジュール８６４は、ＵＥに無認可スペクトルを介してデータフレームに対応するシーケンス番号と、データフレームの１つまたは複数のデータサブフレームとを送信し得る。シーケンス番号は、シーケンス番号モジュール８６３から取得され得、シーケンス番号の送信は、送信機モジュール８３２の無認可スペクトルモジュール８３６を介して行われ得る。ＤＬ  ＨＡＲＱモジュール８６４を使用して達成され得る、データフレーム４０５に対応するシーケンス番号４２５、および１つまたは複数のデータサブフレーム４３０、４３１、４３２、４３３の例示的な送信について、図４を参照しながら説明した。
【００８１】
[0095]データフレームに対応するシーケンス番号が指定された順序（たとえば、番号順）でＵＥによって受信されると、ＤＬ  ＨＡＲＱモジュール８６４のＨＡＲＱフィードバックモジュール８６５は、ＵＥから、１つまたは複数のデータサブフレームについてのＨＡＲＱフィードバックを受信し得る。しかしながら、データフレームに対応するシーケンス番号が、順序が乱れてＵＥによって受信されると、ＵＥは、１つまたは複数のデータサブフレームについてのＨＡＲＱフィードバックを送信しないことがあり、ＨＡＲＱフィードバックモジュール８６５は、いかなるＨＡＲＱフィードバックも受信しないことがある。受信されると、ＨＡＲＱフィードバックは、受信機モジュール８１２の無認可スペクトルモジュール８１６を介して無認可スペクトルを介して受信され得る。デバイス８５５に対してＵＥによって行われ得るＨＡＲＱフィードバック４４５、４４６、４４７、４４８の例示的な送信について、図４を参照しながら説明した。例示的な順序が乱れたシーケンス番号５２５−ａおよびＨＡＲＱフィードバックの非送信について、図５を参照しながら説明した。
【００８２】
[0096]場合によっては、ＨＡＲＱフィードバックモジュール８６５は、現在のデータフレーム中で複数のデータサブフレームのサブセットについてのＨＡＲＱフィードバックを受信し、次のデータフレーム中に、複数のデータサブフレーム（すなわち、現在のデータフレーム中のデータサブフレーム）の残りのサブセットについてのＨＡＲＱフィードバックを受信し得る。すなわち、現在のフレーム中でＨＡＲＱフィードバックを与えるために利用可能なＵＬサブフレームの数が、与えられているＨＡＲＱメッセージの数より小さいとき、残りのＨＡＲＱメッセージ（まだ与えられないＨＡＲＱメッセージ）は後続のフレーム中のＵＬサブフレーム中で与えられ得る。
【００８３】
[0097]場合によっては、現在のデータフレーム中の複数のデータサブフレームの各々について別個のＨＡＲＱフィードバックメッセージが受信され得る。ＨＡＲＱフィードバックメッセージは、現在のデータフレームおよび／または次のデータフレーム中で受信され得る。
【００８４】
[0098]いくつかの例では、ＨＡＲＱフィードバックは、複数の対応するアップリンクサブフレームの各々中に、データフレーム中の１つまたは複数のデータサブフレームの各々について受信され得る。アップリンクサブフレームの一部または全部は、現在のデータフレーム中に、および／または次のデータフレーム中に発生し得る。
【００８５】
[0099]ＵＬ  ＨＡＲＱモジュール８６６は、デバイス８５５のアップリンク動作モード（たとえば、デバイス８５５とＵＥとの間のアップリンクモード）において使用され得る。そのようなモードでは、ＵＬ  ＨＡＲＱモジュール８６６は、ＵＥに無認可スペクトルを介してデータフレームに対応するシーケンス番号と、ＨＡＲＱフィードバックとを送信し得る。シーケンス番号は、シーケンス番号モジュール８６３から取得され得、シーケンス番号の送信は、送信機モジュール８３２の無認可スペクトルモジュール８３６を介して行われ得る。場合によっては、ＨＡＲＱフィードバックは、１つまたは複数のアップリンク許可を含み得る。データフレーム６０５に対応するシーケンス番号６２５、およびアップリンク許可６３０、６３１、６３２、６３３を含むＨＡＲＱフィードバックの例示的な送信について、図６を参照しながら説明した。
【００８６】
[0100]データフレームに対応するシーケンス番号が指定された順序（たとえば、番号順）でＵＥによって受信されると、ＵＬ  ＨＡＲＱモジュール８６６のデータサブフレーム受信機モジュール８６７は、ＨＡＲＱフィードバックに応答してＵＥから１つまたは複数のデータサブフレームを受信し得る。しかしながら、データフレームに対応するシーケンス番号が、順序が乱れてＵＥによって受信されると、ＵＥは、１つまたは複数のデータサブフレームを送信しないことがあり、データサブフレーム受信機モジュール８６７は、いかなるデータサブフレームも受信しないことがある。受信されると、１つまたは複数のデータサブフレームは、受信機モジュール８１２の無認可スペクトルモジュール８１６を介して無認可スペクトルを介して受信され得る。１つまたは複数のデータサブフレーム６４５、６４６、６４７、６４８の例示的な送信について、図６を参照しながら説明した。例示的な順序が乱れたシーケンス番号７２５−ａおよび１つまたは複数のデータサブフレームの非送信について、図７を参照しながら説明した。
【００８７】
[0101]場合によっては、ＨＡＲＱフィードバックは、１つまたは複数のＨＡＲＱフィードバックメッセージを含み得、１つまたは複数のＨＡＲＱフィードバックメッセージの各々について別個のデータサブフレームが受信され得る。各ＨＡＲＱフィードバックメッセージは、別個のアップリンク許可を含み得る。
【００８８】
[0102]場合によっては、１つまたは複数のデータサブフレームの各々が、１つまたは複数の対応するアップリンクサブフレームの各々中に、データサブフレーム受信機モジュール８６７によって受信され得、各対応するアップリンクサブフレームが現在のデータフレーム中に発生し得る。
【００８９】
[0103]図９Ａを参照すると、ブロック図９００に、様々な例による、ワイヤレス通信において使用するためのデバイス９１５を示す。いくつかの例では、デバイス９１５は、図１、図２Ａ、および／または図２Ｂを参照しながら説明したＵＥ１１５および／または２１５の１つまたは複数の態様の一例であり得る。デバイス９１５はまた、プロセッサであり得る。デバイス９１５は、受信機モジュール９１０、ＵＥ  ＬＴＥ  ＨＡＲＱモジュール９２０、および／または送信機モジュール９３０を含み得る。これらの構成要素の各々は互いに通信していることがある。
【００９０】
[0104]デバイス９１５の構成要素は、ハードウェアにおいて適用可能な機能の一部または全部を実行するように適応された１つまたは複数の特定用途向け集積回路ＡＳＩＣで、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９１】
[0105]いくつかの例では、受信機モジュール９１０は、認可スペクトル（たとえば、ＬＴＥスペクトル）および／または無認可スペクトルの中で伝送を受信するように動作可能なＲＦ受信機などの無線周波数（ＲＦ）受信機であるか、またはそれを含み得る。受信機モジュール９１０は、図１、図２Ａ、および／または図２Ｂを参照しながら説明したワイヤレス通信システム１００、２００、および／または２５０の１つまたは複数の通信リンクなど、認可スペクトルと無認可スペクトルとを含むワイヤレス通信システムの１つまたは複数の通信リンクを介して、様々なタイプのデータおよび／または制御信号（すなわち、伝送）を受信するために使用され得る。
【００９２】
[0106]いくつかの例では、送信機モジュール９３０は、認可スペクトルおよび／または無認可スペクトルにおいて送信するように動作可能なＲＦ送信機などのＲＦ送信機であるか、またはそれを含み得る。送信機モジュール９３０は、図１、図２Ａ、および／または図２Ｂを参照しながら説明したワイヤレス通信システム１００、２００、および／または２５０の１つもしくは複数の通信リンクなど、ワイヤレス通信システムの１つまたは複数の通信リンクを介して様々なタイプのデータおよび／または制御信号（すなわち、伝送）を送信するために使用され得る。
【００９３】
[0107]いくつかの例または動作モードでは（たとえば、ｅＮＢとデバイス９１５との間のダウンリンク動作モードでは）、ＵＥ  ＬＴＥ  ＨＡＲＱモジュール９２０は、無認可スペクトルを介してデータフレームに対応するシーケンス番号と、データフレームの１つまたは複数のデータサブフレームとを受信し得る。データフレーム４０５に対応するシーケンス番号４２５、および１つまたは複数のデータサブフレーム４３０、４３１、４３２、４３３の例示的な送信について、図４を参照しながら説明した。データフレームに対応するシーケンス番号が指定された順序（たとえば、番号順）でデバイス９１５によって受信されると、ＵＥ  ＬＴＥ  ＨＡＲＱモジュール９２０は、１つまたは複数のデータサブフレームについてのＨＡＲＱフィードバックを送信し得る。ＨＡＲＱフィードバックは、無認可スペクトルを介して送信され得る。ＨＡＲＱフィードバック４４５、４４６、４４７、４４８の例示的な送信についても、図４を参照しながら説明した。
【００９４】
[0108]いくつかの例または動作モードでは（たとえば、ｅＮＢとデバイス９１５との間のアップリンク動作モードでは）、ＵＥ  ＬＴＥ  ＨＡＲＱモジュール９２０は、無認可スペクトルを介してデータフレームに対応するシーケンス番号と、ＨＡＲＱフィードバックとを受信し得る。場合によっては、ＨＡＲＱフィードバックは、１つまたは複数のアップリンク許可を含み得る。データフレーム６０５に対応するシーケンス番号６２５、およびアップリンク許可６３０、６３１、６３２、６３３を含むＨＡＲＱフィードバックの例示的な送信について、図６を参照しながら説明した。データフレームに対応するシーケンス番号が指定された順序（たとえば、番号順）でデバイス９１５によって受信されると、ＵＥ  ＬＴＥ  ＨＡＲＱモジュール９２０は、ＨＡＲＱフィードバックに応答して１つまたは複数のデータサブフレームを送信し得る。１つまたは複数のデータサブフレームは、無認可スペクトルを介して送信され得る。１つまたは複数のデータサブフレーム６４５、６４６、６４７、６４８の例示的な送信について、図６を参照しながら説明した。
【００９５】
[0109]図９Ｂを参照すると、ブロック図９５０は、様々な実施形態によるワイヤレス通信に使用するためのデバイス９５５を示す。いくつかの例では、デバイス９５５は、図１、図２Ａ、図２Ｂ、および／または図９Ａに関して説明したＵＥ１１５、２１５、および／または９１５の１つまたは複数の態様の一例であり得る。デバイス９５５はまた、プロセッサであり得る。デバイス９５５は、受信機モジュール９１２、ＵＥ  ＬＴＥ  ＨＡＲＱモジュール９６０、および／または送信機モジュール９３２を含み得る。これらの構成要素の各々は互いと通信していることがある。
【００９６】
[0110]デバイス９５５の構成要素は、ハードウェアにおいて適用可能な機能の一部または全部を実行するように適応された１つまたは複数のＡＳＩＣで、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９７】
[0111]いくつかの例では、受信機モジュール９１２は、認可スペクトル（たとえば、ＬＴＥスペクトル）および／または無認可スペクトルにおける送信を受信するように動作可能な無線周波数（ＲＦ）受信機などのＲＦ受信機であるか、またはそれを含み得る。ＲＦ受信機は、認可スペクトルおよび無認可スペクトルのための別個の受信機を含み得る。別個の受信機は、場合によっては、ＬＴＥ  ＳＦＮモジュール９１４およびＬＴＥフレームシーケンス番号モジュール９１６の形態をとり得る。ＬＴＥ  ＳＦＮモジュール９１４は、ＳＦＮの使用に従ってＬＴＥフレームを受信するために使用され得、ＬＴＥフレームシーケンス番号モジュール９１６は、シーケンス番号の使用に従ってＬＴＥフレームを受信するために使用され得る。ＬＴＥ動作のためにデバイス９５５が使用されるとき、ＬＴＥ  ＳＦＮモジュール９１４は、（点線によって示すように）随意であり得る。モジュール９１４および９１６を含む受信機モジュール９１２は、図１、図２Ａ、および／または図２Ｂを参照しながら説明したワイヤレス通信システム１００、２００、および／または２５０の１つまたは複数の通信リンクなど、認可スペクトルと無認可スペクトルとを含むワイヤレス通信システムの１つまたは複数の通信リンクを介して、様々なタイプのデータおよび／または制御信号（すなわち、伝送）を受信するために使用され得る。
【００９８】
[0112]いくつかの例では、送信機モジュール９３２は、認可スペクトルおよび／または無認可スペクトルにおいて送信するように動作可能なＲＦ送信機などのＲＦ送信機であるか、またはそれを含み得る。ＲＦ送信機は、認可スペクトルおよび無認可スペクトルに対して別個の送信機を含み得る。別個の送信機は、場合によっては、ＬＴＥ  ＳＦＮモジュール９３４およびＬＴＥフレームシーケンス番号モジュール９３６の形態をとり得る。ＬＴＥ  ＳＦＮモジュール９３４は、ＳＦＮの使用に従ってＬＴＥフレームを受信するために使用され得、ＬＴＥフレームシーケンス番号モジュール９３６は、シーケンス番号の使用に従って無認可スペクトルフレームまたは共有スペクトルフレーム中でＬＴＥ／ＬＴＥ−Ａを受信するために使用され得る。無認可スペクトル動作または共有スペクトル動作においてＬＴＥ／ＬＴＥ−Ａのためにデバイス９５５が使用されるとき、ＬＴＥ  ＳＦＮモジュール９３４は、（点線によって示すように）随意であり得る。モジュール９３４および９３６を含む送信機モジュール９３２は、図１、図２Ａ、および／または図２Ｂを参照しながら説明したワイヤレス通信システム１００、２００、および／または２５０の１つもしくは複数の通信リンクなど、ワイヤレス通信システムの１つまたは複数の通信リンクを介して様々なタイプのデータおよび／または制御信号（すなわち、伝送）を送信するために使用され得る。
【００９９】
[0113]ＵＥ  ＬＴＥ  ＨＡＲＱモジュール９６０は、図９Ａを参照しながら説明したＵＥ  ＬＴＥ  ＨＡＲＱモジュール９２０の一例であり得、シーケンス番号モジュール９６１、ＤＬ  ＨＡＲＱモジュール９６２、および／またはＵＬ  ＨＡＲＱモジュール９６４を含み得る。これらの構成要素の各々は互いに通信していることがある。
【０１００】
[0114]いくつかの例では、シーケンス番号モジュール９６１は、無認可スペクトルを介して受信されるいくつかのデータフレームの各々のためのシーケンス番号を受信し得る。シーケンス番号は、受信機モジュール９１２の無認可スペクトルモジュール９１６を介して無認可スペクトルを介して受信され得る。例として、シーケンス番号は、番号順で、またはデバイス９５５に知られているか、もしくはそれに搬送される何らかの他の順序で生成され得る。データフレームの受信と併せてデバイス９５５によって受信されると、データフレームに対応するシーケンス番号により、シーケンス番号モジュール９６１は、データフレームがデバイス９５５によって指定された順序で受信されたか、または順序が乱れて受信されたかを決定することが可能になり得る。データフレームが指定された順序でデバイス９５５によって受信されるとシーケンス番号モジュール９６１が決定すると、デバイス９５５は、ＤＬ  ＨＡＲＱモジュール９６２および／またはＵＬ  ＨＡＲＱモジュール９６４にこれを示し得る。データフレームが順序が乱れてデバイス９５５によって受信されるとシーケンス番号モジュール９６１が決定すると、デバイス９５５は、ＤＬ  ＨＡＲＱモジュール９６２および／またはＵＬ  ＨＡＲＱモジュール９６４にこれを示し得る。シーケンス番号モジュール９６１を使用して受信され得る、データフレーム４０５に対応するシーケンス番号４２５、および１つまたは複数のデータサブフレーム４３０、４３１、４３２、４３３の例示的な送信について、図４を参照しながら説明した。データフレーム６０５に対応するシーケンス番号６２５、およびアップリンク許可６３０、６３１、６３２、６３３を含むＨＡＲＱフィードバックの例示的な送信について、図６を参照しながら説明した。
【０１０１】
[0115]ＤＬ  ＨＡＲＱモジュール９６２は、デバイス９５５のダウンリンク動作モード（たとえば、ｅＮＢとデバイス９５５との間のダウンリンクモード）において使用され得る。そのようなモードでは、ＤＬ  ＨＡＲＱモジュール９６２は、シーケンス番号モジュール９６１から、シーケンス番号が指定された順序で受信されたか、または、順序が乱れて受信されたかどうかの指示を受信し得る。シーケンス番号は、データフレームとデータフレームの１つまたは複数のデータサブフレームとに対応し得る。
【０１０２】
[0116]データフレームに対応するシーケンス番号が指定された順序（たとえば、番号順）でデバイス９５５によって受信されると、ＤＬ  ＨＡＲＱモジュール９６２のＨＡＲＱフィードバックモジュール９６３は、１つまたは複数のデータサブフレームについてのＨＡＲＱフィードバックを送信し得る。しかしながら、データフレームに対応するシーケンス番号が順序が乱れてデバイス９５５によって受信されると、ＨＡＲＱフィードバックモジュール９６３は、１つまたは複数のデータサブフレームについてのＨＡＲＱフィードバックを送信しないことがある。送信されると、ＨＡＲＱフィードバックは、送信機モジュール９３２の無認可スペクトルモジュール９３６を介して無認可スペクトルを介して送信され得る。デバイス９５５によって行われ得るＨＡＲＱフィードバック４４５、４４６、４４７、４４８の例示的な送信について、図４を参照しながら説明した。例示的な順序が乱れたシーケンス番号５２５−ａおよびＨＡＲＱフィードバックの非送信について、図５を参照しながら説明した。
【０１０３】
[0117]場合によっては、ＨＡＲＱフィードバックモジュール９６３は、現在のデータフレーム中で複数のデータサブフレームのサブセットについてのＨＡＲＱフィードバックを送信し、次のデータフレーム中に、複数のデータサブフレーム（すなわち、現在のデータフレーム中のデータサブフレーム）の残りのサブセットについてのＨＡＲＱフィードバックを送信し得る。
【０１０４】
[0118]場合によっては、現在のデータフレーム中の複数のデータサブフレームの各々について別個のＨＡＲＱフィードバックメッセージが送信され得る。ＨＡＲＱフィードバックメッセージは、現在のデータフレームおよび／または次のデータフレーム中で送信され得る。
【０１０５】
[0119]いくつかの例では、ＨＡＲＱフィードバックは、複数の対応するアップリンクサブフレームの各々中に、データフレーム中の１つまたは複数のデータサブフレームの各々について送信され得る。アップリンクサブフレームの一部または全部は、現在のデータフレーム中に、および／または次のデータフレーム中に発生し得る。
【０１０６】
[0120]ＵＬ  ＨＡＲＱモジュール９６４は、デバイス５５５のアップリンク動作モード（たとえば、ｅＮＢとデバイス９５５との間のアップリンクモード）において使用され得る。そのようなモードでは、ＵＬ  ＨＡＲＱモジュール９６４は、シーケンス番号モジュール９６１から、シーケンス番号が指定された順序で受信されたか、または、順序が乱れて受信されたかどうかの指示を受信し得る。シーケンス番号は、データフレームとデータフレームのＨＡＲＱフィードバックとに対応し得る。場合によっては、ＨＡＲＱフィードバックは、１つまたは複数のアップリンク許可を含み得る。
【０１０７】
[0121]データフレームに対応するシーケンス番号が指定された順序（たとえば、番号順）でデバイス９５５によって受信されると、ＵＬ  ＨＡＲＱモジュール９６４のデータサブフレーム送信機モジュール９６５は、ＨＡＲＱフィードバックに応答して１つまたは複数のデータサブフレームを送信し得る。しかしながら、データフレームに対応するシーケンス番号が順序が乱れてデバイス９５５によって受信されると、データサブフレーム送信機モジュール９６５は、いかなるデータサブフレームも送信しないことがある。送信されると、１つまたは複数のデータサブフレームは、送信機モジュール９３２の無認可スペクトルモジュール９３６を介して無認可スペクトルを介して送信され得る。１つまたは複数のデータサブフレーム６４５、６４６、６４７、６４８の例示的な送信について、図６を参照しながら説明した。例示的な順序が乱れたシーケンス番号７２５−ａおよび１つまたは複数のデータサブフレームの非送信について、図７を参照しながら説明した。
【０１０８】
[0122]場合によっては、ＨＡＲＱフィードバックは、１つまたは複数のＨＡＲＱフィードバックメッセージを含み得、１つまたは複数のＨＡＲＱフィードバックメッセージの各々について別個のデータサブフレームが送信され得る。各ＨＡＲＱフィードバックメッセージは、別個のアップリンク許可を含み得る。
【０１０９】
[0123]場合によっては、１つまたは複数のデータサブフレームの各々が、１つまたは複数の対応するアップリンクサブフレームの各々中に送信され得、各対応するアップリンクサブフレームが現在のデータフレーム中に発生し得る。
【０１１０】
[0124]図１０を参照すると、無認可スペクトルまたは共有スペクトルにおけるＬＴＥ／ＬＴＥ−Ａのために構成されたｅＮＢ１００５を示すブロック図１０００が示されている。いくつかの例では、ｅＮＢ１００５は、図１、図２Ａ、図２Ｂ、図８Ａ、および／または図８Ｂを参照しながら説明したｅＮＢまたはデバイス１０５、２０５、８０５、および／または８５５の１つまたは複数の態様の一例であり得る。ｅＮＢ１００５は、図１、図２Ａ、図２Ｂ、図４、図５、図６、図７、図８Ａ、および／または図８Ｂを参照しながら説明したｅＮＢ  ＬＴＥの特徴および機能のうちの少なくともいくつかを実装するように構成され得る。ｅＮＢ１００５は、プロセッサモジュール１０１０、メモリモジュール１０２０、（トランシーバモジュール１０５５によって表される）少なくとも１つのトランシーバモジュール、（アンテナ１０６０によって表される）少なくとも１つのアンテナ、および／またはｅＮＢ  ＬＴＥモジュール１０７０を含み得る。ｅＮＢ１００５はまた、基地局通信モジュール１０３０とネットワーク通信モジュール１０４０との一方または両方を含み得る。これらの構成要素の各々は、１つまたは複数のバス１０３５を介して直接または間接的に互いと通信していることがある。
【０１１１】
[0125]メモリモジュール１０２０は、ランダムアクセスメモリ（ＲＡＭ）および／または読取り専用メモリ（ＲＯＭ）とを含み得る。メモリモジュール１０２０は、実行されたとき、プロセッサモジュール１０１０に、たとえば、１）ＵＥへの無認可スペクトルを介したデータフレームに対応するシーケンス番号の送信、および２）１つまたは複数のデータサブフレーム、および／またはシーケンス番号および／またはデータフレームに対応するＨＡＲＱフィードバックの送信または受信を含む、認可スペクトルおよび／または無認可スペクトルにおいてＬＴＥベースの通信を使用するための本明細書で説明する様々な機能を実行することを行わせるように構成された命令を含んでいるコンピュータ可読、コンピュータ実行可能ソフトウェア（ＳＷ）コード１０２５を記憶し得る。代替的に、ソフトウェアコード１０２５は、プロセッサモジュール１０１０によって直接実行可能でないことがあるが、たとえば、コンパイルされ実行されたとき、ｅＮＢ１００５に、本明細書で説明する様々な機能を実行させるように構成され得る。
【０１１２】
[0126]プロセッサモジュール１０１０は、インテリジェントハードウェアデバイス、たとえば、中央処理ユニット（ＣＰＵ）、マイクロコントローラ、ＡＳＩＣなどを含み得る。プロセッサモジュール１０１０は、トランシーバモジュール１０５５、基地局通信モジュール１０３０、および／またはネットワーク通信モジュール１０４０を介して受信された情報を処理し得る。プロセッサモジュール１０１０はまた、図１を参照しながら説明したコアネットワーク１３０の態様の一例であり得る、アンテナ１０６０を介した送信のためのトランシーバモジュール１０５５に、１つまたは複数の他の基地局またはｅＮＢ１００５−ａおよび１００５−ｂへの送信のための基地局通信モジュール１０３０に、ならびに／またはコアネットワーク１０４５への送信のためのネットワーク通信モジュール１０４０に送られるべき情報を処理し得る。プロセッサモジュール１０１０は、単独でまたはｅＮＢ  ＬＴＥモジュール１０７０とともに、たとえば、１）ＵＥへの無認可スペクトルを介したデータフレームに対応するシーケンス番号の送信、および２）１つまたは複数のデータサブフレーム、および／またはシーケンス番号および／またはデータフレームに対応するＨＡＲＱフィードバックの送信または受信を含む、認可スペクトルおよび／または無認可スペクトルにおいてＬＴＥベースの通信を使用する様々な態様を処理し得る。
【０１１３】
[0127]トランシーバモジュール１０５５は、パケットを変調し、変調されたパケットを送信のためにアンテナ１０６０に与え、アンテナ１０６０から受信されたパケットを復調するように構成されたモデムを含み得る。トランシーバモジュール１０５５は、１つまたは複数の送信機モジュールおよび１つまたは複数の別個の受信機モジュールとして実装され得る。トランシーバモジュール１０５５は、認可スペクトル（たとえば、ＬＴＥスペクトル）における通信と、および／または無認可スペクトルにおける通信とをサポートし得る。トランシーバモジュール１０５５は、たとえば、図１、図２Ａ、図２Ｂ、図９Ａ、および／または図９Ｂを参照しながら説明したＵＥまたはデバイス１１５、２１５、９１５、および／または９５５のうちの１つまたは複数と、アンテナ１０６０を介して、双方向に通信するように構成され得る。ｅＮＢ１００５は、一般に、複数のアンテナ１０６０（たとえば、アンテナアレイ）を含み得る。ｅＮＢ１００５は、ネットワーク通信モジュール１０４０を通してコアネットワーク１０４５と通信し得る。ｅＮＢ１００５は、基地局通信モジュール１０３０を使用して、ｅＮＢ１００５−ａおよび１００５−ｂなどの他の基地局またはｅＮＢと通信し得る。
【０１１４】
[0128]図１０のアーキテクチャによれば、ｅＮＢ１００５は通信管理モジュール１０５０をさらに含み得る。通信管理モジュール１０５０は、他の基地局、ｅＮＢ、および／またはデバイスとの通信を管理し得る。通信管理モジュール１０５０は、１つまたは複数のバス１０３５を介してｅＮＢ１００５の他の構成要素の一部または全部と通信し得る。代替として、通信管理モジュール１０５０の機能は、トランシーバモジュール１０５５の構成要素として、コンピュータプログラム製品として、および／またはプロセッサモジュール１０１０の１つもしくは複数のコントローラ要素として実装され得る。
【０１１５】
[0129]ｅＮＢ  ＬＴＥモジュール１０７０は、認可スペクトルおよび／または無認可スペクトルにおいてＬＴＥベースの通信を使用することに関係して図１、図２Ａ、図２Ｂ、図４、図５、図６、図７、図８Ａ、および／または図８Ｂを参照しながら説明した特徴および／または機能の一部または全部を実行および／または制御するように構成され得る。たとえば、ｅＮＢ  ＬＴＥモジュール１０７０は、補足ダウンリンクモード（a supplemental downlink mode）、キャリアアグリゲーションモード、および／またはスタンドアロンモードをサポートするように構成され得る。ｅＮＢ  ＬＴＥモジュール１０７０は、ＬＴＥ通信を処理するように構成されたＬＴＥモジュール１０７５、（無認可スペクトルのためのＣＣＡの実行を含む）無認可スペクトル通信または共有スペクトル通信においてＬＴＥ／ＬＴＥ−Ａを処理するように構成されたＬＴＥ無認可モジュール１０８０、および／または無認可スペクトルにおいてＬＴＥ以外の通信を処理するように構成された無認可モジュール１０８５を含み得る。ｅＮＢ  ＬＴＥモジュール１０７０はまた、たとえば、図１、図４、図５、図６、図７、図８Ａ、および／または図８Ｂを参照しながら説明したｅＮＢ  ＬＴＥ  ＨＡＲＱ機能のいずれかを実行するように構成されたＬＴＥ  ＨＡＲＱモジュール１０９０を含み得る。ＬＴＥ  ＨＡＲＱモジュール１０９０は、図８Ａおよび／または図８Ｂを参照しながら説明した同様のモジュール（たとえば、モジュール８２０および／またはモジュール８６０）の一例であり得る。ｅＮＢ  ＬＴＥモジュール１０７０またはそれの部分は、プロセッサを含み得、および／またはｅＮＢ  ＬＴＥモジュール１０７０の機能の一部または全部は、プロセッサモジュール１０１０によっておよび／またはプロセッサモジュール１０１０に関連して実行され得る。
【０１１６】
[0130]図１１を参照すると、無認可スペクトルまたは共有スペクトルにおけるＬＴＥ／ＬＴＥ−Ａのために構成されたＵＥ１１１５を示すブロック図１１００が示されている。ＵＥ１１１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ１１１５は、モバイル動作を容易にするために、小型バッテリーなどの内部電源（図示せず）を有し得る。いくつかの例では、ＵＥ１１１５は、図１、図２Ａ、図２Ｂ、図９Ａ、および／または図９Ｂを参照しながら説明したＵＥまたはデバイス１１５、２１５、９１５、および／または９５５のうちの１つまたは複数の一例であり得る。ＵＥ１１１５は、図１、図２Ａ、図２Ｂ、図８Ａ、図８Ｂ、および／または図１０を参照しながら説明したｅＮＢまたはデバイス１０５、２０５、８０５、８５５、および１００５のうちの１つまたは複数と通信するように構成され得る。
【０１１７】
[0131]ＵＥ１１１５は、プロセッサモジュール１１１０、メモリモジュール１１２０、（トランシーバモジュール１１７０によって表される）少なくとも１つのトランシーバモジュール、（アンテナ１１８０によって表される）少なくとも１つのアンテナ、および／またはＵＥ  ＬＴＥモジュール１１４０を含み得る。これらの構成要素の各々は、１つまたは複数のバス１１３５を介して直接または間接的に互いと通信していることがある。
【０１１８】
[0132]メモリモジュール１１２０は、ＲＡＭおよび／またはＲＯＭを含み得る。メモリモジュール１１２０は、実行されたとき、プロセッサモジュール１１１０に、たとえば、１）無認可スペクトルを介した、データフレームに対応するシーケンス番号の受信、ならびにおよび２）１つまたは複数のデータサブフレーム、および／またはシーケンス番号および／またはデータフレームに対応するＨＡＲＱフィードバックの送信または受信を含む、認可スペクトルおよび／または無認可スペクトルにおいてＬＴＥベースの通信を使用するための本明細書で説明する様々な機能を実行することを行わせるように構成された命令を含んでいるコンピュータ可読、コンピュータ実行可能ソフトウェア（ＳＷ）コード１１２５を記憶し得る。代替的に、ソフトウェアコード１１２５は、プロセッサモジュール１１１０によって直接実行可能でないことがあるが、（たとえば、コンパイルされ実行されたとき）ＵＥ１１１５に、本明細書で説明する様々なＵＥ機能を実行させるように構成され得る。
【０１１９】
[0133]プロセッサモジュール１１１０は、インテリジェントハードウェアデバイス、たとえば、ＣＰＵ、マイクロコントローラ、ＡＳＩＣなどを含み得る。プロセッサモジュール１１１０は、トランシーバモジュール１１７０を介して受信された情報、および／またはアンテナ１１８０を介した送信のためにトランシーバモジュール１１７０に送られるべき情報を処理し得る。プロセッサモジュール１１１０は、単独でまたはＵＥ  ＬＴＥモジュール１１４０とともに、たとえば、１）無認可スペクトルを介した、データフレームに対応するシーケンス番号の受信、および２）１つまたは複数のデータサブフレーム、および／またはシーケンス番号および／またはデータフレームに対応するＨＡＲＱフィードバックの送信または受信を含む、認可スペクトルおよび／または無認可スペクトルにおいてＬＴＥベースの通信を使用する様々な態様を処理し得る。
【０１２０】
[0134]トランシーバモジュール１１７０は、ｅＮＢと双方向に通信するように構成され得る。トランシーバモジュール１１７０は、１つまたは複数の送信機モジュールおよび１つまたは複数の別個の受信機モジュールとして実装され得る。トランシーバモジュール１１７０は、少なくとも１つの認可スペクトル（たとえば、ＬＴＥスペクトル）における通信と、少なくとも１つの無認可スペクトルにおける通信とをサポートし得る。トランシーバモジュール１１７０は、パケットを変調し、変調されたパケットを送信のためにアンテナ１１８０に与え、アンテナ１１８０から受信されたパケットを復調するように構成されたモデムを含み得る。ＵＥ１１１５は単一のアンテナを含み得るが、ＵＥ１１１５が複数のアンテナ１１８０を含み得る例があり得る。
【０１２１】
[0135]図１１のアーキテクチャによれば、ＵＥ１１１５は通信管理モジュール１１３０をさらに含み得る。通信管理モジュール１１３０は、様々な基地局またはｅＮＢとの通信を管理し得る。通信管理モジュール１１３０は、１つまたは複数のバス１１３５を介してＵＥ１１１５の他の構成要素の一部または全部と通信しているＵＥ１１１５の構成要素であり得る。代替として、通信管理モジュール１１３０の機能は、トランシーバモジュール１１７０の構成要素として、コンピュータプログラム製品として、および／またはプロセッサモジュール１１１０の１つもしくは複数のコントローラ要素として実装され得る。
【０１２２】
[0136]ＵＥ  ＬＴＥモジュール１１４０は、認可スペクトルおよび／または無認可スペクトルにおいてＬＴＥベースの通信を使用することに関係して図１、図２Ａ、図２Ｂ、図４、図５、図６、図７、図９Ａ、および／または図９Ｂを参照しながら説明した特徴および／または機能の一部または全部を実行および／または制御するように構成され得る。たとえば、ＵＥ  ＬＴＥモジュール１１４０は、補足ダウンリンクモード、キャリアアグリゲーションモード、および／またはスタンドアロンモードをサポートするように構成され得る。ＵＥ  ＬＴＥモジュール１１４０は、ＬＴＥ通信を処理するように構成されたＬＴＥモジュール１１４５、ＬＴＥ通信を処理するように構成されたＬＴＥ無認可モジュール１１５０、および／または無認可スペクトルにおいてＬＴＥ以外の通信を処理するように構成された無認可モジュール１１５５を含み得る。ＵＥ  ＬＴＥモジュール１１４０はまた、たとえば、図１、図４、図５、図６、図７、図９Ａ、および／または図９Ｂを参照しながら説明したＵＥ  ＬＴＥ  ＨＡＲＱ機能のうちのいずれかを実行するように構成されたＬＴＥ  ＨＡＲＱモジュール１１６０を含み得る。ＬＴＥ  ＨＡＲＱモジュール１１６０は、図９Ａおよび／または図９Ｂを参照しながら説明した同様のモジュール（たとえば、モジュール９２０および／またはモジュール９６０）の一例であり得る。ＵＥ  ＬＴＥモジュール１１４０またはそれの部分は、プロセッサを含み得、および／またはＵＥ  ＬＴＥモジュール１１４０の機能の一部または全部は、プロセッサモジュール１１１０によっておよび／またはプロセッサモジュール１１１０に関連して実行され得る。
【０１２３】
[0137]次に図１２を参照すると、ｅＮＢ１２０５とＵＥ１２１５とを含む多入力多出力（ＭＩＭＯ）通信システム１２００のブロック図が示されている。ｅＮＢ１２０５およびＵＥ１２１５は、認可スペクトルおよび／または無認可スペクトルを使用したＬＴＥベースの通信をサポートし得る。ｅＮＢ１２０５は、図１、図２Ａ、図２Ｂ、図８Ａ、図８Ｂ、および／または図１０を参照しながら説明したｅＮＢまたはデバイス１０５、２０５、８０５、８５５、および／または１００５の１つまたは複数の態様の一例であり得、一方、ＵＥ１２１５は、図１、図２Ａ、図２Ｂ、図９Ａ、図９Ｂ、および／または図１１を参照しながら説明したＵＥまたはデバイス１１５、２１５、９１５、９５５、および／または１１１５の１つまたは複数の態様の一例であり得る。システム１２００に、図１、図２Ａ、および／または図２Ｂを参照しながら説明したワイヤレス通信システム１００、２００、および／または２５０の態様を示し得る。
【０１２４】
[0138]ｅＮＢ１２０５は、アンテナ１２３４−ａ〜１２３４−ｘを備え得、ＵＥ１２１５は、アンテナ１２５２−ａ〜１２５２−ｎを備え得る。システム１２００では、ｅＮＢ１２０５は、複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、ｅＮＢ１２０５が２つの「レイヤ」を送信する２×２ＭＩＭＯシステムでは、ｅＮＢ１２０５とＵＥ１２１５との間の通信リンクのランクは２であり得る。
【０１２５】
[0139]ｅＮＢ１２０５において、送信（Ｔｘ）プロセッサ１２２０は、データソースからデータを受信し得る。送信プロセッサ１２２０はデータを処理し得る。送信プロセッサ１２２０はまた、基準シンボルおよび／またはセル固有基準信号を生成し得る。送信（Ｔｘ）ＭＩＭＯプロセッサ１２３０は、適用可能な場合、データシンボル、制御シンボル、および／または基準シンボルに対して空間処理（たとえば、プリコーディング）を実行し得、出力シンボルストリームを送信（Ｔｘ）変調器／復調器１２３２−ａ〜１２３２−ｘに与え得る。各変調器／復調器１２３２は、出力サンプルストリームを取得するために、（たとえば、ＯＦＤＭなどのための）それぞれの出力シンボルストリームを処理し得る。各変調器／復調器１２３２は、ダウンリンク（ＤＬ）信号を取得するために、出力サンプルストリームをさらに処理（たとえば、アナログ変換、増幅、フィルタ処理、およびアップコンバート）し得る。一例では、変調器／復調器１２３２−ａ〜１２３２−ｘからのＤＬ信号は、それぞれアンテナ１２３４−ａ〜１２３４−ｘを介して送信され得る。
【０１２６】
[0140]ＵＥ１２１５において、アンテナ１２５２−ａ〜１２５２−ｎは、ｅＮＢ１２０５からＤＬ信号を受信し得、受信された信号をそれぞれ受信（Ｒｘ）変調器／復調器１２５４−ａ〜１２５４−ｎに与え得る。各変調器／復調器１２５４は、入力サンプルを取得するために、それぞれの受信信号を調整（たとえば、フィルタ処理、増幅、ダウンコンバート、およびデジタル化）し得る。各変調器／復調器１２５４はさらに、受信シンボルを取得するために、（たとえば、ＯＦＤＭなどのために）入力サンプルを処理し得る。ＭＩＭＯ検出器１２５６は、すべての変調器／復調器１２５４−ａ〜１２５４−ｎから受信シンボルを取得し、適用可能な場合は受信シンボルに対してＭＩＭＯ検出を実行し、検出されたシンボルを与え得る。受信（Ｒｘ）プロセッサ１２５８が、検出されたシンボルを処理し（たとえば、復調し、デインターリーブし、および復号し）、ＵＥ１２１５のための復号されたデータをデータ出力に与え、復号された制御情報をプロセッサ１２８０、またはメモリ１２８２に与え得る。プロセッサ１２８０は、認可スペクトルおよび／または無認可スペクトルにおいてＬＴＥベースの通信を使用することに関係する様々な機能を実行し得るモジュールまたは機能１２８１を含み得る。たとえば、モジュールまたは機能１２８１は、図９Ａ、図９Ｂ、および／または図１１を参照しながら説明したＬＴＥ  ＨＡＲＱモジュール９２０、９６０、および／もしくは１１６０、ならびに／または図１１を参照しながら説明したＵＥ  ＬＴＥモジュール１１４０の機能の一部または全部を実行し得る。
【０１２７】
[0141]アップリンク（ＵＬ）上で、ＵＥ１２１５において、送信（Ｔｘ）プロセッサ１２６４が、データソースからデータを受信し、処理し得る。送信プロセッサ１２６４はまた、基準信号用の基準シンボルを生成し得る。送信プロセッサ１２６４からのシンボルは、適用可能な場合、送信（Ｔｘ）ＭＩＭＯプロセッサ１２６６によってプリコーディングされ、さらに（たとえば、ＳＣ−ＦＤＭＡなどのための）送信（Ｔｘ）変調器／復調器１２５４−ａ〜１２５４−ｎによって処理され、ｅＮＢ１２０５から受信された送信パラメータに従ってｅＮＢ１２０５に送信され得る。ｅＮＢ１２０５において、ＵＥ１２１５からのＵＬ信号がアンテナ１２３４によって受信され、受信（Ｒｘ）変調器／復調器１２３２によって処理され、適用可能な場合、ＭＩＭＯ検出器１２３６によって検出され、受信（Ｒｘ）プロセッサ１２３８によってさらに処理され得る。受信プロセッサ１２３８は、復号されたデータをデータ出力とプロセッサ１２４０とに与え得る。プロセッサ１２４０は、認可スペクトルおよび／または無認可スペクトルにおいてＬＴＥベースの通信を使用することに関係する様々な態様を実行し得るモジュールまたは機能１２４１を含み得る。たとえば、モジュールまたは機能１２４１は、図８Ａ、図８Ｂ、および／または図１０を参照しながら説明したＬＴＥ  ＨＡＲＱモジュール８２０、８６０、および／もしくは１０９０、図８Ｂを参照しながら説明したＣＣＡモジュール８６１、ならびに／または図１０を参照しながら説明したｅＮＢ  ＬＴＥモジュール１０７０の機能の一部または全部を実行し得る。
【０１２８】
[0142]ｅＮＢ１２０５の構成要素は、ハードウェアにおいて適用可能な機能の一部または全部を実行するように適応された１つまたは複数のＡＳＩＣで、個々にまたはまとめて実装され得る。言及したモジュールの各々は、システム１２００の動作に関係する１つまたは複数の機能を実行するための手段であり得る。同様に、ＵＥ１２１５の構成要素は、ハードウェアにおいて適用可能な機能の一部または全部を実行するように適応された１つまたは複数のＡＳＩＣで、個々にまたはまとめて実装され得る。言及した構成要素の各々は、システム１２００の動作に関係する１つまたは複数の機能を実行するための手段であり得る。
【０１２９】
[0143]図１３は、ワイヤレス通信のための方法１３００の一例を示すフローチャートである。明快のために、方法１３００について、図１、図２Ａ、図２Ｂ、図８Ａ、図８Ｂ、図１０、および／または図１２を参照しながら説明したｅＮＢまたはデバイス１０５、２０５、８０５、８５５、１００５、および／または１２０５のうちの１つと、図１、図２Ａ、図２Ｂ、図９Ａ、図９Ｂ、図１０、および／または図１２を参照しながら説明したＵＥまたはデバイス１１５、２１５、９１５、９５５、１１１５、および／または１２１５のうちの１つとを参照しながら以下で説明する。一例では、ｅＮＢは、以下で説明する機能を実行するためにｅＮＢの機能要素を制御するためのコードの１つまたは複数のセットを実行し得る。
【０１３０】
[0144]ブロック１３０５において、データフレームに対応するシーケンス番号、およびデータフレームの１つまたは複数のデータサブフレームが、ＵＥに無認可スペクトルを介して送信され得る。データフレーム４０５に対応するシーケンス番号４２５、および１つまたは複数のデータサブフレーム４３０、４３１、４３２、４３３の例示的な送信について、図４を参照しながら説明した。ブロック１３０５における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したシーケンス番号モジュール８６３および／もしくはＤＬ  ＨＡＲＱモジュール８６４、ならびに／または図１２を参照しながら説明したモジュールもしくは機能１２４１を使用して実行され得る。
【０１３１】
[0145]ブロック１３１０において、データフレームに対応するシーケンス番号が、指定された順序（たとえば、番号順）でＵＥによって受信されると、１つまたは複数のデータサブフレームについてのＨＡＲＱフィードバックがＵＥから無認可スペクトルを介して受信され得る。ＨＡＲＱフィードバック４４５、４４６、４４７、４４８の例示的な送信について、図４を参照しながら説明した。
【０１３２】
[0146]場合によっては、別個のＨＡＲＱフィードバックメッセージが、１つまたは複数のデータサブフレームの各々について受信され得る。場合によっては、ＨＡＲＱフィードバックが、１つまたは複数の対応するアップリンクサブフレームの各々中に、１つまたは複数のデータサブフレームの各々について受信され得、各対応するアップリンクサブフレームが、データフレーム中に、または次のデータフレーム中に発生し得る。
【０１３３】
[0147]ブロック１３１０における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したＨＡＲＱフィードバックモジュール８６５、ならびに／または図１２を参照しながら説明したモジュールもしくは機能１２４１を使用して実行され得る。
【０１３４】
[0148]方法１３００のいくつかの例では、方法１３００は、後続のデータフレームに対応するシーケンス番号、および後続のデータフレームの１つまたは複数のデータサブフレームのＵＥへの無認可スペクトルを介した送信を続け得る。後続のデータフレームのためのシーケンス番号が、指定された順序でＵＥによって受信されると、後続のデータフレームの１つまたは複数のデータサブフレームについてのＨＡＲＱフィードバックが、次いで、ＵＥから無認可スペクトルを介して受信され得る。後続のデータサブフレーム４０５−ａに対応するシーケンス番号４２５−ａ、および後続のデータフレームの１つまたは複数のデータサブフレーム４３０−ａ、４３１−ａ、４３２−ａ、４３３−ａの例示的な送信について、図４を参照しながら説明した。ＨＡＲＱフィードバック４４５−ａ、４４６−ａ、４４７−ａ、４４８−ａの例示的な送信についても、図４を参照しながら説明した。
【０１３５】
[0149]方法１３００のいくつかの例では、データフレームに対応するシーケンス番号が、順序が乱れてＵＥによって受信されると、ＨＡＲＱフィードバックが１つまたは複数のデータサブフレームについてＵＥによって送信されないことがある。例示的な順序が乱れたシーケンス番号５２５−ａおよびＨＡＲＱフィードバックの非送信について、図５を参照しながら説明した。
【０１３６】
[0150]いくつかの例では、ＣＣＡは、無認可スペクトルの利用可能性を決定するために実行され得、無認可スペクトルが利用可能であるという決定が行われると、無認可スペクトルは、（たとえば、ブロック１３０５においてシーケンス番号および／またはデータサブフレームを送信するための）データフレーム中にアクセスされ得る。次のデータフレーム中に、無認可スペクトルの利用可能性を決定するために、別のＣＣＡが実行され得、以下同様である。
【０１３７】
[0151]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１３８】
[0152]図１４は、ワイヤレス通信のための方法１４００の一例を示すフローチャートである。明快のために、方法１４００について、図１、図２Ａ、図２Ｂ、図８Ａ、図８Ｂ、図１０、および／または図１２を参照しながら説明したｅＮＢまたはデバイス１０５、２０５、８０５、８５５、１００５、および／または１２０５のうちの１つと、図１、図２Ａ、図２Ｂ、図９Ａ、図９Ｂ、図１０、および／または図１２を参照しながら説明したＵＥまたはデバイス１１５、２１５、９１５、９５５、１１１５、および／または１２１５のうちの１つとを参照しながら以下で説明する。一例では、ｅＮＢは、以下で説明する機能を実行するためにｅＮＢの機能要素を制御するためのコードの１つまたは複数のセットを実行し得る。
【０１３９】
[0153]ブロック１４０５において、データフレームに対応するシーケンス番号、およびデータフレームの複数のデータサブフレームが、ＵＥに無認可スペクトルを介して送信され得る。データフレーム４０５に対応するシーケンス番号４２５、および複数のデータサブフレーム４３０、４３１、４３２、４３３の例示的な送信について、図４を参照しながら説明した。ブロック１４０５における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したシーケンス番号モジュール８６３および／もしくはＤＬ  ＨＡＲＱモジュール８６４、ならびに／または図１２を参照しながら説明したモジュールもしくは機能１２４１を使用して実行され得る。
【０１４０】
[0154]ブロック１４１０および／または１４１５において、データフレームに対応するシーケンス番号が、指定された順序（たとえば、番号順）でＵＥによって受信されると、複数のデータサブフレームについてのＨＡＲＱフィードバックがＵＥから無認可スペクトルを介して受信され得る。ブロック１４１０において、データフレーム中に、ＨＡＲＱフィードバックが、複数のデータサブフレームのサブセットについて（たとえば、データサブフレームのうちの１つまたは複数について）受信され得る。ブロック１４１５において、次のデータフレーム中に、ＨＡＲＱフィードバックが、複数のデータサブフレームの残りのサブセットについて（たとえば、データサブフレームのうちの残りの１つまたは複数について）受信され得る。ＨＡＲＱフィードバック４４５、４４６、４４７、４４８の例示的な送信について、図４を参照しながら説明した。
【０１４１】
[0155]場合によっては、別個のＨＡＲＱフィードバックメッセージが、複数のデータサブフレームの各々について受信され、ＨＡＲＱフィードバックメッセージのうちの少なくとも１つが、データフレーム中に受信され、ＨＡＲＱフィードバックメッセージのうちの少なくとも１つが、次のデータフレーム中に受信され得る。場合によっては、ＨＡＲＱフィードバックが、複数の対応するアップリンクサブフレームの各々中に、複数のデータサブフレームの各々について受信され、対応するアップリンクサブフレームのうちの少なくとも１つが、データフレーム中に発生し、対応するアップリンクサブフレームのうちの少なくとも１つが、次のデータフレーム中に発生し得る。
【０１４２】
[0156]ブロック１４１０における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したＨＡＲＱフィードバックモジュール８６５、ならびに／または図１２を参照しながら説明したモジュールもしくは機能１２４１を使用して実行され得る。
【０１４３】
[0157]方法１４００のいくつかの例では、方法１４００は、後続のデータフレームに対応するシーケンス番号、および後続のデータフレームの１つまたは複数のデータサブフレームのＵＥへの無認可スペクトルを介した送信を続け得る。後続のデータフレームのためのシーケンス番号が、指定された順序でＵＥによって受信されると、後続のデータフレームの１つまたは複数のデータサブフレームについてのＨＡＲＱフィードバックが、次いで、ＵＥから無認可スペクトルを介して受信され得る。後続のデータサブフレーム４０５−ａに対応するシーケンス番号４２５−ａ、および後続のデータフレームの１つまたは複数のデータサブフレーム４３０−ａ、４３１−ａ、４３２−ａ、４３３−ａの例示的な送信について、図４を参照しながら説明した。ＨＡＲＱフィードバック４４５−ａ、４４６−ａ、４４７−ａ、４４８−ａの例示的な送信についても、図４を参照しながら説明した。
【０１４４】
[0158]方法１４００のいくつかの例では、データフレームに対応するシーケンス番号が、順序が乱れてＵＥによって受信されると、ＨＡＲＱフィードバックが１つまたは複数のデータサブフレームについてＵＥによって送信されないことがある。例示的な順序が乱れたシーケンス番号５２５−ａおよびＨＡＲＱフィードバックの非送信について、図５を参照しながら説明した。
【０１４５】
[0159]いくつかの例では、ＣＣＡは、無認可スペクトルの利用可能性を決定するために実行され得、無認可スペクトルが利用可能であるという決定が行われると、無認可スペクトルは、（たとえば、ブロック１３０５においてシーケンス番号および／またはデータサブフレームを送信するための）データフレーム中にアクセスされ得る。次のデータフレーム中に、無認可スペクトルの利用可能性を決定するために、別のＣＣＡが実行され得、以下同様である。
【０１４６】
[0160]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１４７】
[0161]図１５は、ワイヤレス通信のための方法１５００の一例を示すフローチャートである。明快のために、方法１５００について、図１、図２Ａ、図２Ｂ、図９Ａ、図９Ｂ、図１０、および／または図１２を参照しながら説明したＵＥまたはデバイス１１５、２１５、９１５、９５５、１１１５、および／または１２１５のうちの１つと、図１、図２Ａ、図２Ｂ、図８Ａ、図８Ｂ、図１０、および／または図１２を参照しながら説明したｅＮＢまたはデバイス１０５、２０５、８０５、８５５、１００５、および／または１２０５のうちの１つとを参照しながら以下で説明する。一例では、ＵＥは、以下で説明する機能を実行するためにＵＥの機能要素を制御するためのコードの１つまたは複数のセットを実行し得る。
【０１４８】
[0162]ブロック１５０５において、データフレームに対応するシーケンス番号、およびデータフレームの１つまたは複数のデータサブフレームが、無認可スペクトルを介して受信され得る。場合によっては、シーケンス番号は、ｅＮＢからＵＥにおいて受信され得る。データフレーム４０５に対応するシーケンス番号４２５、および１つまたは複数のデータサブフレーム４３０、４３１、４３２、４３３の例示的な送信について、図４を参照しながら説明した。
【０１４９】
[0163]ブロック１５１０において、シーケンス番号がＵＥによって指定された順序（たとえば、番号順）で受信されたかどうかが決定され得る。
【０１５０】
[0164]ブロック１５０５および／または１５１０における動作は、場合によっては、図９Ａ、図９Ｂ、および／または図１１を参照しながら説明したＵＥ  ＬＴＥ  ＨＡＲＱモジュール９２０、９６０、および／もしくは１１６０、図９Ｂを参照しながら説明したシーケンス番号モジュール９６１および／もしくはＤＬ  ＨＡＲＱモジュール９６２、ならびに／または図１２を参照しながら説明したモジュールもしくは機能１２８１を使用して実行され得る。
【０１５１】
[0165]ブロック１５１５において、データフレームに対応するシーケンス番号が指定された順序で受信されたとブロック１５１０において決定すると、１つまたは複数のデータサブフレームについてのＨＡＲＱフィードバックが、（たとえば、ＵＥからｅＮＢに）無認可スペクトルを介して送信され得る。ＨＡＲＱフィードバック４４５、４４６、４４７、４４８の例示的な送信について、図４を参照しながら説明した。
【０１５２】
[0166]場合によっては、別個のＨＡＲＱフィードバックメッセージが、１つまたは複数のデータサブフレームの各々について送信され得る。場合によっては、ＨＡＲＱフィードバックが、１つまたは複数の対応するアップリンクサブフレームの各々中に、１つまたは複数のデータサブフレームの各々について送信され得、各対応するアップリンクサブフレームが、データフレーム中に、または次のデータフレーム中に発生し得る。
【０１５３】
[0167]ブロック１５１５における動作は、場合によっては、図９Ａ、図９Ｂ、および／または図１１を参照しながら説明したＵＥ  ＬＴＥ  ＨＡＲＱモジュール９２０、９６０、および／もしくは１１６０、図９Ｂを参照しながら説明したＨＡＲＱフィードバックモジュール９６３、ならびに／または図１２を参照しながら説明したモジュールもしくは機能１２８１を使用して実行され得る。
【０１５４】
[0168]方法１５００のいくつかの例では、方法１５００は、後続のデータフレームに対応するシーケンス番号、および後続のデータフレームの１つまたは複数のデータサブフレームの無認可スペクトルを介した受信を続け得る。次いで、後続のデータフレームに対応するシーケンス番号が指定された順序でＵＥによって受信されたかどうかが決定され得る。後続のデータフレームのためのシーケンス番号が指定された順序で受信されたと決定すると、後続のデータフレームの１つまたは複数のデータサブフレームについてのＨＡＲＱフィードバックが、無認可スペクトルを介して送信され得る。後続のデータサブフレーム４０５−ａに対応するシーケンス番号４２５−ａ、および後続のデータフレームの１つまたは複数のデータサブフレーム４３０−ａ、４３１−ａ、４３２−ａ、４３３−ａの例示的な送信について、図４を参照しながら説明した。ＨＡＲＱフィードバック４４５−ａ、４４６−ａ、４４７−ａ、４４８−ａの例示的な送信についても、図４を参照しながら説明した。
【０１５５】
[0169]方法１５００のいくつかの例では、データフレームに対応するシーケンス番号が順序が乱れて受信されたと決定すると、１つまたは複数のデータサブフレームについてのＨＡＲＱフィードバックを送信しないことが決定され得る。また、データフレームに対応するシーケンス番号が順序が乱れて受信されたと決定すると、１つまたは複数のデータサブフレームを破棄する（discard）ことが決定され得る。例示的な順序が乱れたシーケンス番号５２５−ａおよびＨＡＲＱフィードバックの非送信について、図５を参照しながら説明した。
【０１５６】
[0170]方法１５００のいくつかの例では、１つまたは複数のデータサブフレームについてのＨＡＲＱフィードバックを送信することは、１）データフレーム中に、１つまたは複数のデータサブフレームのサブセットについてのＨＡＲＱフィードバックを送信することと、２）次のデータフレーム中に、１つまたは複数のデータサブフレームの残りのサブセットについてのＨＡＲＱフィードバックを送信することとを含み得る。
【０１５７】
[0171]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１５８】
[0172]図１６は、ワイヤレス通信のための方法１６００の一例を示すフローチャートである。明快のために、方法１６００について、図１、図２Ａ、図２Ｂ、図８Ａ、図８Ｂ、図１０、および／または図１２を参照しながら説明したｅＮＢまたはデバイス１０５、２０５、８０５、８５５、１００５、および／または１２０５のうちの１つと、図１、図２Ａ、図２Ｂ、図９Ａ、図９Ｂ、図１０、および／または図１２を参照しながら説明したＵＥまたはデバイス１１５、２１５、９１５、９５５、１１１５、および／または１２１５のうちの１つとを参照しながら以下で説明する。一例では、ｅＮＢは、以下で説明する機能を実行するためにｅＮＢの機能要素を制御するためのコードの１つまたは複数のセットを実行し得る。
【０１５９】
[0173]ブロック１６０５において、データフレームに対応するシーケンス番号、およびＨＡＲＱフィードバックが、ＵＥに無認可スペクトルを介して送信され得る。場合によっては、ＨＡＲＱフィードバックは、１つまたは複数のアップリンク許可を含み得る。データフレーム６０５に対応するシーケンス番号６２５、およびアップリンク許可６３０、６３１、６３２、６３３を含むＨＡＲＱフィードバックの例示的な送信について、図６を参照しながら説明した。ブロック１６０５における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したシーケンス番号モジュール８６３および／もしくはＵＬ  ＨＡＲＱモジュール８６６、ならびに／または図１２を参照しながら説明したモジュールもしくは機能１２４１を使用して実行され得る。
【０１６０】
[0174]ブロック１６１０において、データフレームに対応するシーケンス番号が指定された順序（たとえば、番号順）でＵＥによって受信されると、１つまたは複数のデータサブフレームが、ＨＡＲＱフィードバックに応答して、無認可スペクトルを介してＵＥから受信され得る。１つまたは複数のデータサブフレーム６４５、６４６、６４７、６４８の例示的な送信について、図６を参照しながら説明した。
【０１６１】
[0175]場合によっては、ＨＡＲＱフィードバックは、１つまたは複数のＨＡＲＱフィードバックメッセージを含み得、１つまたは複数のＨＡＲＱフィードバックメッセージの各々について別個のデータサブフレームが受信され得る。各ＨＡＲＱフィードバックメッセージは、別個のアップリンク許可を含み得る。場合によっては、１つまたは複数のデータサブフレームの各々が、１つまたは複数の対応するアップリンクサブフレームの各々中に、受信され得、各対応するアップリンクサブフレームがデータフレーム中に発生し得る。
【０１６２】
[0176]ブロック１６１０における動作は、場合によっては、図８Ａ、図８Ｂ、および／または図１０を参照しながら説明したｅＮＢ  ＬＴＥ  ＨＡＲＱモジュール８２０、８６０、および／もしくは１０９０、図８Ｂを参照しながら説明したデータサブフレーム受信機モジュール８６７、ならびに／または図１２を参照しながら説明したモジュールもしくは機能１２４１を使用して実行され得る。
【０１６３】
[0177]方法１６００のいくつかの例では、方法１６００は、後続のデータフレームに対応するシーケンス番号、および後続のＨＡＲＱフィードバックのＵＥへの無認可スペクトルを介した送信を続け得る。後続のデータフレームに対応するシーケンス番号が指定された順序でＵＥによって受信されると、１つまたは複数の追加のサブフレームが、次いで、後続のＨＡＲＱフィードバックを受信したことに応答して、無認可スペクトルを介してＵＥから受信され得る。後続のデータサブフレーム６０５−ａに対応するシーケンス番号６２５−ａ、および後続のデータフレームのＨＡＲＱフィードバック６３０−ａ、６３１−ａ、６３２−ａ、６３３−ａの例示的な送信について、図６を参照しながら説明した。後続のデータフレームのＨＡＲＱフィードバックを受信したことに応答した１つまたは複数の追加のデータサブフレーム６４５−ａ、６４６−ａ、６４７−ａ、６４８−ａの例示的な送信についても、図６を参照しながら説明した。
【０１６４】
[0178]方法１６００のいくつかの例では、データフレームに対応するシーケンス番号が、順序が乱れてＵＥによって受信されると、１つまたは複数のデータサブフレームが、ＵＥによって送信されないことがある。例示的な順序が乱れたシーケンス番号７２５−ａおよび１つまたは複数のデータサブフレームの非送信について、図７を参照しながら説明した。
【０１６５】
[0179]いくつかの例では、ＣＣＡは、無認可スペクトルの利用可能性を決定するために実行され得、無認可スペクトルが利用可能であるという決定が行われると、無認可スペクトルは、（たとえば、ブロック１７０５においてシーケンス番号および／またはＨＡＲＱフィードバックを送信するための）データフレーム中にアクセスされ得る。次のデータフレーム中に、無認可スペクトルの利用可能性を決定するために、別のＣＣＡが実行され得、以下同様である。
【０１６６】
[0180]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１６７】
[0181]図１７は、ワイヤレス通信のための方法１７００の一例を示すフローチャートである。明快のために、方法１７００について、図１、図２Ａ、図２Ｂ、図９Ａ、図９Ｂ、図１０、および／または図１２を参照しながら説明したＵＥまたはデバイス１１５、２１５、９１５、９５５、１１１５、および／または１２１５のうちの１つと、図１、図２Ａ、図２Ｂ、図８Ａ、図８Ｂ、図１０、および／または図１２を参照しながら説明したｅＮＢまたはデバイス１０５、２０５、８０５、８５５、１００５、および／または１２０５のうちの１つとを参照しながら以下で説明する。一例では、ＵＥは、以下で説明する機能を実行するためにＵＥの機能要素を制御するためのコードの１つまたは複数のセットを実行し得る。
【０１６８】
[0182]ブロック１７０５において、データフレームに対応するシーケンス番号、およびＨＡＲＱフィードバックが、無認可スペクトルを介して受信され得る。場合によっては、シーケンス番号は、ｅＮＢからＵＥにおいて受信され得る。場合によっては、ＨＡＲＱフィードバックは、１つまたは複数のアップリンク許可を含み得る。データフレーム６０５に対応するシーケンス番号４２５、およびアップリンク許可６３０、６３１、６３２、６３３を含むＨＡＲＱフィードバックの例示的な送信について、図６を参照しながら説明した。
【０１６９】
[0183]ブロック１７１０において、シーケンス番号がＵＥによって指定された順序（たとえば、番号順）で受信されたかどうかが決定され得る。
【０１７０】
[0184]ブロック１７０５および／または１７１０における動作は、場合によっては、図９Ａ、図９Ｂ、および／または図１１を参照しながら説明したＵＥ  ＬＴＥ  ＨＡＲＱモジュール９２０、９６０、および／もしくは１１６０、図９Ｂを参照しながら説明したシーケンス番号モジュール９６１および／もしくはＵＬ  ＨＡＲＱモジュール９６４、ならびに／または図１２を参照しながら説明したモジュールもしくは機能１２８１を使用して実行され得る。
【０１７１】
[0185]ブロック１７１５において、データフレームに対応するシーケンス番号が指定された順序で受信されたとブロック１７１０において決定すると、１つまたは複数のデータサブフレームが、ＨＡＲＱフィードバックを受信したことに応答して、（たとえば、ＵＥからｅＮＢに）無認可スペクトルを介して送信され得る。１つまたは複数のデータサブフレーム６４５、６４６、６４７、６４８の例示的な送信について、図６を参照しながら説明した。
【０１７２】
[0186]場合によっては、ＨＡＲＱフィードバックは、１つまたは複数のＨＡＲＱフィードバックメッセージを含み得、１つまたは複数のＨＡＲＱフィードバックメッセージの各々について別個のデータサブフレームが送信され得る。各ＨＡＲＱフィードバックメッセージは、別個のアップリンク許可を含み得る。場合によっては、１つまたは複数のデータサブフレームの各々が、１つまたは複数の対応するアップリンクサブフレームの各々中に、送信され得、各対応するアップリンクサブフレームがデータフレーム中に発生し得る。
【０１７３】
[0187]ブロック１７１５における動作は、場合によっては、図９Ａ、図９Ｂ、および／または図１１を参照しながら説明したＵＥ  ＬＴＥ  ＨＡＲＱモジュール９２０、９６０、および／もしくは１１６０、図９Ｂを参照しながら説明したデータサブフレーム送信機モジュール９６５、ならびに／または図１２を参照しながら説明したモジュールもしくは機能１２８１を使用して実行され得る。
【０１７４】
[0188]方法１７００のいくつかの例では、方法１７００は、後続のデータフレームに対応するシーケンス番号、および後続のＨＡＲＱフィードバックの無認可スペクトルを介した受信を続け得る。次いで、後続のデータフレームに対応するシーケンス番号が指定された順序でＵＥによって受信されたかどうかが決定され得る。後続のデータフレームのためのシーケンス番号が指定された順序で受信されたと決定すると、後続のデータフレームの１つまたは複数の追加のデータサブフレームが、後続のＨＡＲＱフィードバックを受信したことに応答して無認可スペクトルを介して送信され得る。後続のデータサブフレーム６０５−ａに対応するシーケンス番号６２５−ａ、および後続のデータフレームのＨＡＲＱフィードバック６３０−ａ、６３１−ａ、６３２−ａ、６３３−ａの例示的な送信について、図６を参照しながら説明した。後続のデータフレームのＨＡＲＱフィードバックを受信したことに応答した１つまたは複数の追加のデータサブフレーム６４５−ａ、６４６−ａ、６４７−ａ、６４８−ａの例示的な送信についても、図６を参照しながら説明した。
【０１７５】
[0189]方法１７００のいくつかの例では、データフレームに対応するシーケンス番号が、順序が乱れて受信されると、１つまたは複数のデータサブフレームが、送信されないことがある。例示的な順序が乱れたシーケンス番号７２５−ａおよび１つまたは複数のデータサブフレームの非送信について、図７を参照しながら説明した。
【０１７６】
[0190]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１７７】
[0191]添付の図面に関して上記に記載した詳細な説明は、例示的な例について説明しており、実装され得るまたは特許請求の範囲内に入る例のみを表すものではない。この説明全体にわたって使用される「例示的」という用語は、「例、事例、または例示の働きをすること」を意味し、「好ましい」または「他の例よりも有利な」を意味しない。詳細な説明は、説明された技法の理解を与えるために、具体的な詳細を含む。ただし、これらの技法は、これらの具体的な詳細なしに実施され得る。いくつかの事例では、説明した例の概念を不明瞭にすることを回避するために、よく知られている構造およびデバイスをブロック図の形式で示す。
【０１７８】
[0192]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１７９】
[0193]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していることがあり、メモリは、プロセッサによって実行可能な命令を記憶する。
【０１８０】
[0194]本明細書で説明された機能は、ハードウェア、プロセッサによって実行されるソフトウェア、ファームウェア、またはそれらの任意の組合せで実現され得る。プロセッサによって実行されるソフトウェアで実現される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的な場所で実装されるように分散されることを含む、様々な位置に物理的に配置され得る。また、特許請求の範囲を含めて、本明細書で使用される場合、「のうちの少なくとも１つ」で始まる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１８１】
[0195]コンピュータプログラム製品またはコンピュータ可読媒体はいずれも、ある場所から別の場所へのコンピュータプログラムの転送を容易にする任意の媒体を含む通信媒体と、コンピュータ可読記憶媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが同軸ケーブル、光ファイバーケーブル、より対線、デジタル加入者線（「ＤＳＬ」）、または赤外線、無線、およびマイクロ波などのワイヤレス技術を使用して、ウェブサイト、サーバ、または他の遠隔ソースから送信される場合、その同軸ケーブル、光ファイバーケーブル、より対線、ＤＳＬ、または赤外線、無線、およびマイクロ波などのワイヤレス技術が媒体の定義に含められる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１８２】
[0196]本開示のこれまでの説明は、当業者が本開示を作成または使用することを可能にするために提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
ワイヤレス通信のための方法であって、
ユーザ機器（ＵＥ）に無認可スペクトルを介して、データフレームに対応するシーケンス番号と、前記データフレームの１つまたは複数のデータサブフレームとを送信することと、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信することと
を備える、方法。
［Ｃ２］
前記データフレームに対応する前記シーケンス番号が、順序が乱れて前記ＵＥによって受信されると、ＨＡＲＱフィードバックが前記１つまたは複数のデータサブフレームについて前記ＵＥによって送信されない、Ｃ１に記載の方法。
［Ｃ３］
前記ＵＥに前記無認可スペクトルを介して、後続のデータフレームに対応するシーケンス番号と、前記後続のデータフレームの１つまたは複数のデータサブフレームとを送信することと、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信することと
をさらに備える、Ｃ１に記載の方法。
［Ｃ４］
前記ＵＥから前記無認可スペクトルを介して、前記１つまたは複数のデータサブフレームについてのＨＡＲＱフィードバックを受信することが、
前記１つまたは複数のデータサブフレームの各々について別個のＨＡＲＱフィードバックメッセージを受信することを備える、Ｃ１に記載の方法。
［Ｃ５］
前記ＵＥから前記無認可スペクトルを介して、前記１つまたは複数のデータサブフレームについてのＨＡＲＱフィードバックを受信することが、
前記データフレーム中に、前記１つまたは複数のデータサブフレームのサブセットについてのＨＡＲＱフィードバックを受信することと、
次のデータフレーム中に、前記１つまたは複数のデータサブフレームの残りのサブセットについてのＨＡＲＱフィードバックを受信することと
を備える、Ｃ１に記載の方法。
［Ｃ６］
前記ＵＥから前記無認可スペクトルを介して、前記１つまたは複数のデータサブフレームについてのＨＡＲＱフィードバックを受信することが、
１つまたは複数の対応するアップリンクサブフレームの各々中に、前記１つまたは複数のデータサブフレームの各々についてのＨＡＲＱフィードバックを受信すること、ここにおいて、各対応するアップリンクサブフレームが、前記データフレーム中に、または次のデータフレーム中に発生する、
を備える、Ｃ１に記載の方法。
［Ｃ７］
前記無認可スペクトルの利用可能性を決定するためにクリアチャネルアセスメント（ＣＣＡ）を実行することと、
前記無認可スペクトルが利用可能であるという決定が行われると、前記データフレーム中に前記無認可スペクトルにアクセスすることと
をさらに備える、Ｃ１に記載の方法。
［Ｃ８］
無認可スペクトルを介したチャネルアクセスを要求するために送信要求（ＲＴＳ）信号を送信することと、
前記無認可スペクトルが利用可能であるとき、前記ＲＴＳ信号に応答して、送信可（ＣＴＳ）信号を受信することと
をさらに備える、Ｃ１に記載の方法。
［Ｃ９］
前記無認可スペクトルが送信のために利用可能であるとき、送信可（ＣＴＳ）信号を送信すること
をさらに備える、Ｃ１に記載の方法。
［Ｃ１０］
ワイヤレス通信のための装置であって、
ユーザ機器（ＵＥ）に無認可スペクトルを介して、データフレームに対応するシーケンス番号と、前記データフレームの１つまたは複数のデータサブフレームとを送信するための手段と、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信するための手段と
を備える、装置。
［Ｃ１１］
前記データフレームに対応する前記シーケンス番号が、順序が乱れて前記ＵＥによって受信されると、ＨＡＲＱフィードバックが前記１つまたは複数のデータサブフレームについて前記ＵＥによって送信されない、Ｃ１０に記載の装置。
［Ｃ１２］
前記ＵＥに前記無認可スペクトルを介して、後続のデータフレームに対応するシーケンス番号と、前記後続のデータフレームの１つまたは複数のデータサブフレームとを送信するための手段と、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信するための手段と
をさらに備える、Ｃ１０に記載の装置。
［Ｃ１３］
前記１つまたは複数のデータサブフレームの各々について別個のＨＡＲＱフィードバックメッセージを受信するための手段
をさらに備える、Ｃ１０に記載の装置。
［Ｃ１４］
前記データフレーム中に、前記１つまたは複数のデータサブフレームのサブセットについてのＨＡＲＱフィードバックを受信するための手段と、
次のデータフレーム中に、前記１つまたは複数のデータサブフレームの残りのサブセットについてのＨＡＲＱフィードバックを受信するための手段と
をさらに備える、Ｃ１０に記載の装置。
［Ｃ１５］
１つまたは複数の対応するアップリンクサブフレームの各々中に、前記１つまたは複数のデータサブフレームの各々についてのＨＡＲＱフィードバックを受信するための手段、ここにおいて、各対応するアップリンクサブフレームが、前記データフレーム中に、または次のデータフレーム中に発生する、
をさらに備える、Ｃ１０に記載の装置。
［Ｃ１６］
前記無認可スペクトルの利用可能性を決定するためにクリアチャネルアセスメント（ＣＣＡ）を実行するための手段と、
前記無認可スペクトルが利用可能であるという決定が行われると、前記データフレーム中に、前記無認可スペクトルにアクセスするための手段と
をさらに備える、Ｃ１０に記載の装置。
［Ｃ１７］
無認可スペクトルを介したチャネルアクセスを要求するために送信要求（ＲＴＳ）信号を送信するための手段と、
前記無認可スペクトルが送信のために利用可能であるとき、前記ＲＴＳ信号に応答して、送信可（ＣＴＳ）信号を受信するための手段と
をさらに備える、Ｃ１０に記載の装置。
［Ｃ１８］
前記無認可スペクトルが利用可能であるとき、送信可（ＣＴＳ）信号を送信するための手段
をさらに備える、Ｃ１０に記載の装置。
［Ｃ１９］
ワイヤレス通信のための方法であって、
ユーザ機器（ＵＥ）に無認可スペクトルを介して、データフレームに対応するシーケンス番号と、ハイブリッド自動再送要求（ＨＡＲＱ）フィードバックとを送信することと、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信することと
を備える、方法。
［Ｃ２０］
前記データフレームに対応する前記シーケンス番号が、順序が乱れて前記ＵＥによって受信されると、前記１つまたは複数のデータサブフレームが前記ＵＥによって送信されない、Ｃ１９に記載の方法。
［Ｃ２１］
前記ＵＥに前記無認可スペクトルを介して、後続のデータフレームに対応するシーケンス番号と、後続のＨＡＲＱフィードバックとを送信することと、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信することと
をさらに備える、Ｃ１９に記載の方法。
［Ｃ２２］
前記ＨＡＲＱフィードバックが、１つまたは複数のＨＡＲＱフィードバックメッセージを備え、
前記ＵＥから前記無認可スペクトルを介して、１つまたは複数のデータサブフレームを受信することが、前記１つまたは複数のＨＡＲＱフィードバックメッセージの各々について別個のデータサブフレームを受信することを備える、
Ｃ１９に記載の方法。
［Ｃ２３］
前記ＵＥから前記無認可スペクトルを介して、１つまたは複数のデータサブフレームを受信することが、
１つまたは複数の対応するアップリンクサブフレームの各々中に、前記１つまたは複数のデータサブフレームの各々を受信すること、ここにおいて、各対応するアップリンクサブフレームが、前記データフレーム中に発生する、
を備える、Ｃ１９に記載の方法。
［Ｃ２４］
前記無認可スペクトルの利用可能性を決定するためにクリアチャネルアセスメント（ＣＣＡ）を実行することと、
前記無認可スペクトルが利用可能であるという決定が行われると、前記データフレーム中に、前記無認可スペクトルにアクセスすることと
をさらに備える、Ｃ１９に記載の方法。
［Ｃ２５］
ワイヤレス通信のための装置であって、
ユーザ機器（ＵＥ）に無認可スペクトルを介して、データフレームに対応するシーケンス番号と、ハイブリッド自動再送要求（ＨＡＲＱ）フィードバックとを送信するための手段と、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信するための手段と
を備える、装置。
［Ｃ２６］
前記データフレームに対応する前記シーケンス番号が、順序が乱れて前記ＵＥによって受信されると、前記１つまたは複数のデータサブフレームが前記ＵＥによって送信されない、Ｃ２５に記載の装置。
［Ｃ２７］
前記ＵＥに前記無認可スペクトルを介して、後続のデータフレームに対応するシーケンス番号と、後続のＨＡＲＱフィードバックとを送信するための手段と、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信するための手段と
をさらに備える、Ｃ２５に記載の装置。
［Ｃ２８］
前記ＨＡＲＱフィードバックが、１つまたは複数のＨＡＲＱフィードバックメッセージを備え、
前記ＵＥから前記無認可スペクトルを介して、１つまたは複数のデータサブフレームを受信するための手段が、前記１つまたは複数のＨＡＲＱフィードバックメッセージの各々について別個のデータサブフレームを受信するための、プロセッサによって実行可能な命令を備える、
Ｃ２５に記載の装置。
［Ｃ２９］
１つまたは複数の対応するアップリンクサブフレームの各々中に、前記１つまたは複数のデータサブフレームの各々を受信するための手段、ここにおいて、各対応するアップリンクサブフレームが、前記データフレーム中に発生する、
をさらに備える、Ｃ２５に記載の装置。
［Ｃ３０］
前記無認可スペクトルの利用可能性を決定するためにクリアチャネルアセスメント（ＣＣＡ）を実行するための手段と、
前記無認可スペクトルが利用可能であるという決定が行われると、前記データフレーム中に、前記無認可スペクトルにアクセスするための手段と
をさらに備える、Ｃ２５に記載の装置。
【図１】
0006509859.tif 000002
【図２Ａ】
0006509859.tif 000003
【図２Ｂ】
0006509859.tif 000004
【図３】
0006509859.tif 000005
【図４】
0006509859.tif 000006
【図５】
0006509859.tif 000007
【図６】
0006509859.tif 000008
【図７】
0006509859.tif 000009
【図８Ａ】
0006509859.tif 000010
【図８Ｂ】
0006509859.tif 000011
【図９Ａ】
0006509859.tif 000012
【図９Ｂ】
0006509859.tif 000013
【図１０】
0006509859.tif 000014
【図１１】
0006509859.tif 000015
【図１２】
0006509859.tif 000016
【図１３】
0006509859.tif 000017
【図１４】
0006509859.tif 000018
【図１５】
0006509859.tif 000019
【図１６】
0006509859.tif 000020
【図１７】
0006509859.tif 000021